(57)【要約】【課題】太陽光発電装置から負荷装置に電力を供給する際に、電力の供給を必要とする負荷装置に対して優先的に電力を供給できるととともに、負荷装置への給電状況をユーザに提示できる。【解決手段】直流給電システム１において、スイッチ部が、給電経路において、太陽光発電装置４からの電力を供給する給電範囲と電力を供給しない非給電範囲とを分割する箇所に配置される。スイッチ制御部６２は、スイッチ部の開閉状態を制御して、太陽光発電装置４から電力を供給する給電範囲を設定する際に、優先順位保持部６３に保持された負荷装置Ｌ１１からＬ１６についての優先順位の情報に基づいて、優先順位の高い負荷装置から順に電力を供給するように給電範囲を設定する。また、スイッチ制御部６２は、給電経路における給電状況をコントロールパネル６４に表示させる。【選択図】図３
2015165731.tif 000002
【特許請求の範囲】
【請求項１】
電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムであって、
前記給電経路において、前記太陽光発電装置からの電力を供給する給電範囲と前記電力を供給しない非給電範囲とを分割する箇所に配置されるスイッチ部と、
前記太陽光発電装置から前記負荷装置に電力を供給する優先順位を示す優先順位の情報を保持する優先順位保持部と、
前記スイッチ部の開閉状態を制御して、前記給電経路における給電範囲を設定するスイッチ制御部と、
前記給電経路における給電状況に関連する情報を提示する情報提示部と、
を備え、
前記スイッチ制御部は、
前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させる
ことを特徴とする給電システム。
【請求項２】
前記優先順位は、
前記電源装置から前記給電経路に電力の供給ができない停電時における人の移動ルートに応じて設定され、
前記情報提示部は、
前記人の移動ルートに応じて設定された給電範囲を提示する
ことを特徴とする請求項１に記載の給電システム。
【請求項３】
人が出発地から目的地まで移動する際の当該出発地と目的地を指定する設定入力を検出し、前記検出した出発地と目的地を示す情報を出力するとともに、前記出発地と目的地との間の移動ルートを表示する設定入力部と、
前記設定入力部において前記出発地と目的地の指定が検出された場合に、前記出発地から前記目的地までの推奨される移動ルートを設定するとともに、該移動ルートを前記設定入力部に表示させる推奨ルート設定部と、
を備え、
前記優先順位保持部は、
前記推奨ルート設定部により推奨された移動ルートに応じて、前記負荷装置の優先順位を設定して保持し、
前記スイッチ制御部は、
前記移動ルートに応じて設定された前記負荷装置の優先順位に基づいて、前記太陽光発電装置から前記負荷装置に電力を供給する給電範囲を設定する
ことを特徴とする請求項１または請求項２に記載の給電システム。
【請求項４】
前記情報提示部は、
前記スイッチ制御部により、前記給電経路における給電範囲が設定された際に、
前記給電範囲を提示するとともに、
前記給電範囲に人を誘導するための情報を提示する
ことを特徴とする請求項１から３の何れか一項に記載の給電システム。
【請求項５】
前記給電経路において給電経路に障害が発生している給電経路の範囲を検出する障害発生検出部を備え、
前記スイッチ制御部は、
前記太陽光発電装置から電力を供給する給電範囲を設定する際に、前記障害が発生した給電経路を除外して給電範囲を設定するとともに、
前記情報提示部は、
前記給電経路において電力を供給する給電範囲と、前記障害が発生した給電経路である非給電範囲とを識別して表示する
ことを特徴とする請求項１から請求項４の何れか一項に記載の給電システム。
【請求項６】
前記優先順位は、
前記負荷装置の種別と、当該負荷装置が設備される位置と、の何れか又は両方に応じて設定される
ことを特徴とする請求項１から請求項５の何れか一項に記載の給電システム。
【請求項７】
前記優先順位は、時間帯、曜日、天候、又は季節の何れか又は全部に応じて設定される
こと特徴とする請求項６に記載の給電システム。
【請求項８】
前記スイッチ制御部と、前記優先順位保持部と、前記障害発生検出部と、を含む電源供給装置
を備え、
前記電源供給装置は、
出力を停止した停止状態の前記パワーコンディショナに当該パワーコンディショナから電力を出力させることを可能にする動作電圧を供給する
ことを特徴とする請求項５に記載の給電システム。
【請求項９】
前記スイッチ部は、
前記電源供給装置からスイッチ制御信号を受信するスイッチ制御信号受信部と、
前記スイッチ制御信号受信部により受信したスイッチ制御信号に基づき、前記スイッチ部の開閉を行うスイッチ開閉部と、
を備えることを特徴とする請求項８に記載の給電システム。
【請求項１０】
前記スイッチ部は、
前記給電経路を接続及び遮断するための半導体スイッチング素子を含めて構成される
ことを特徴とする請求項１から請求項４の何れか一項に記載の給電システム。
【請求項１１】
電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムにおける給電制御装置であって、
前記給電経路に配置されるスイッチ部であって前記太陽光発電装置からの電力を供給する給電範囲と前記電力を供給しない非給電範囲とを分割する箇所に配置されるスイッチ部の開閉状態を制御することにより前記給電経路における給電範囲を設定するスイッチ制御部と、
前記太陽光発電装置から前記負荷装置に電力を供給する優先順位を示す優先順位の情報を保持する優先順位保持部と、
前記給電経路における給電状況に関連する情報を提示する情報提示部と、
を備え、
前記スイッチ制御部は、
前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させる
ことを特徴とする給電制御装置。
【請求項１２】
電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムにおける給電制御方法であって、
前記給電経路において、前記太陽光発電装置からの電力を供給する給電範囲と前記電力を供給しない非給電範囲とを分割する箇所にスイッチ部を配置するステップと、
前記太陽光発電装置から前記負荷装置に電力を供給する優先順位を示す優先順位の情報を保持する優先順位保持ステップと、
前記スイッチ部の開閉状態を制御して、前記給電経路における給電範囲を設定するスイッチ制御ステップと、
前記給電経路における給電状況に関連する情報を情報提示部に提示する情報提示ステップと、
を含み、
さらに、前記スイッチ制御ステップには、
前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させるステップを
含むことを特徴とする給電制御方法。
【請求項１３】
電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムであって、
前記給電経路において、前記太陽光発電装置からの電力を供給する給電範囲と前記電力を供給しない非給電範囲とを分割する箇所に配置されるスイッチ部と、
前記太陽光発電装置から前記負荷装置に電力を供給する優先順位を示す優先順位の情報を保持する優先順位保持部と、
前記電源装置が停電した際に、前記負荷装置について設定される優先順位の情報を保持する優先順位保持部と、
前記スイッチ部の開閉状態を制御して、前記給電経路における給電範囲を設定するスイッチ制御部と、
前記給電経路における給電状況に関連する情報を提示する情報提示部と、
を備える前記給電システム内のコンピュータに、
前記スイッチ制御部により、前記太陽光発電装置から電力を供給する給電範囲を設定する際に、
前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させるステップを
実行させるためのプログラム。
【発明の詳細な説明】
【技術分野】
【０００１】
本発明は、給電経路に接続された負荷装置に電力を供給する給電システム、給電制御装置、給電システムにおける給電制御方法及びプログラムに関する。
【背景技術】
【０００２】
近年、データセンタや通信局舎などにおいては、ルータやサーバ等の各種負荷装置へ直流電力を供給する直流給電システムの構築が進められている。この直流給電システムは、交流電力系統（商用電力系統）を入力とする直流電源装置により、商用交流電力を所定の電圧の直流電力に変換し、給電経路（電力供給線）を介して複数の負荷装置へ供給する。
【０００３】
また、この直流給電システムでは、交流電力系統を電源とする。その交流電力系統において系統事故等の異常が生じて、直流電源装置から負荷装置に直流電圧を正常に出力できなくなる場合に備え、電源のバックアップ用として燃料電池やエンジン発電機等を備えることがある。上記の燃料電池やエンジン発電機等は、発電のための燃料を必要とする。
【０００４】
また、一方で、太陽光発電装置は、燃料を必要とせずに発電可能であり、バックアップ用の電源として利用することができる。このような太陽光発電装置は、自ら発電した電力を変換するパワーコンディショナ（Power Conditioning Subsystem）と併せて用いられる。このパワーコンディショナ（以下の説明において、単に「ＰＣＳ」と呼ぶことがある。）は、太陽光発電装置の出力電圧を昇圧（または降圧）して給電システムの給電経路に供給する他、太陽光発電装置等の発電量に応じて出力電力を制御する制御機能を備えている。
【０００５】
なお、関連する系統連系用インバータの電力供給システムがある（特許文献１）。この特許文献１に記載の電力供給システムは、共用蓄電池を共用する複数の需要家の中で最も重要な需要家が共用蓄電池から電力供給を受けられなくなることを防止する。このために、電力供給システムは、優先情報に基づいて需要家に電力を振り分ける。
【先行技術文献】
【特許文献】
【０００６】
【特許文献１】特開２０１１−２０５８７１号公報
【発明の概要】
【発明が解決しようとする課題】
【０００７】
ところで、上述のＰＣＳを直流電源装置からの給電経路（電力供給線）に接続して、直流電源装置の出力に連系させる場合、ＰＣＳは給電経路の電圧を検出する。そのため、直流電源装置の電源に当たる商用電力系統の停電や直流電源装置の故障などにより給電経路に電力の供給がなくなった場合、ＰＣＳは、自らが動作するための電圧を検出できなくなる。その場合、ＰＣＳは、直流電源装置の出力に連系していた運転状態を自立運転に切り替えて運転を継続する。ＰＣＳは、この自立運転の状態であれば、供給可能な電流容量の範囲で給電経路に電力を供給できる。ただし、ＰＣＳから供給可能な電流容量より負荷装置に流れる電流容量が多い場合や、太陽光発電装置が所定の日照量を得ることができず太陽光発電装置の出力電力の減少に伴ってＰＣＳから供給可能な電流容量が減少した場合には、ＰＣＳは動作を継続できなくなる。一旦、出力を停止したＰＣＳは、上記の場合が解消されても、ＰＣＳを起動させる動作電圧が供給されるまで給電経路に電圧を出力できない。
【０００８】
また、直流電源装置が停電している状態において、ＰＣＳを介して太陽光発電装置が発電する電力を負荷装置に供給する場合、電力を供給する負荷装置を選択して負荷装置で消費される総電力量を制限しないと、総電力量がＰＣＳから供給可能な電力量を上回る場合が生じうる。この場合も、上記と同様にＰＣＳは動作を継続できなくなるという問題がある。
【０００９】
また、ビル等において直流電源装置が停電すると、太陽光発電装置の発電量の制限から、ビル内の一部のエリアの負荷装置だけに電力が供給される場合がある。このような場合、負荷装置に電力が供給されないエリアに所在する人は、例えば、照明が消えて室内が暗くなることにより不安感を覚えたり、また、それまで行っていた作業を継続できなくなったりするなど著しく不便な状態におかれる。このため、電力が供給されないエリアに所在する人を、電力が供給されているエリアに円滑に移動させることが望まれる。これを実現するためには、電力が供給されないエリアに所在する人に対して、電力が供給されているエリアについての情報を的確に伝えることが必要になる。
【００１０】
本発明は、斯かる実情に鑑みてなされたものであり、太陽光発電装置から負荷装置に電力を供給する際に、電力の供給を必要とする負荷装置に対して優先的に電力を供給できるととともに、負荷装置への給電状況をユーザに提示できる、給電システム、給電制御装置、給電システムにおける給電制御方法及びプログラムを提供するものである。
【課題を解決するための手段】
【００１１】
この発明は、上述した課題を解決するためになされたものであり、本発明の給電システムは、電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムであって、前記給電経路において、前記太陽光発電装置からの電力を供給する給電範囲と前記電力を供給しない非給電範囲とを分割する箇所に配置されるスイッチ部と、前記太陽光発電装置から前記負荷装置に電力を供給する優先順位を示す優先順位の情報を保持する優先順位保持部と、前記スイッチ部の開閉状態を制御して、前記給電経路における給電範囲を設定するスイッチ制御部と、前記給電経路における給電状況に関連する情報を提示する情報提示部と、を備え、前記スイッチ制御部は、前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させることを特徴とする。
【００１２】
また、上記給電システムにおいて、前記優先順位は、前記電源装置から前記給電経路に電力の供給ができない停電時における人の移動ルートに応じて設定され、前記情報提示部は、前記人の移動ルートに応じて設定された給電範囲を提示することを特徴とする。
【００１３】
また、上記給電システムは、人が出発地から目的地まで移動する際の当該出発地と目的地を指定する設定入力を検出し、前記検出した出発地と目的地を示す情報を出力するとともに、前記出発地と目的地との間の移動ルートを表示する設定入力部と、前記設定入力部において前記出発地と目的地の指定が検出された場合に、前記出発地から前記目的地までの推奨される移動ルートを設定するとともに、該移動ルートを前記設定入力部に表示させる推奨ルート設定部と、を備え、前記優先順位保持部は、前記推奨ルート設定部により推奨された移動ルートに応じて、前記負荷装置の優先順位を設定して保持し、前記スイッチ制御部は、前記移動ルートに応じて設定された前記負荷装置の優先順位に基づいて、前記太陽光発電装置から前記負荷装置に電力を供給する給電範囲を設定することを特徴とする。
【００１４】
また、上記給電システムにおいて、前記情報提示部は、前記スイッチ制御部により、前記給電経路における給電範囲が設定された際に、前記給電範囲を提示するとともに、前記給電範囲に人を誘導するための情報を提示することを特徴とする。
【００１５】
また、上記給電システムにおいて、前記給電経路において給電経路に障害が発生している給電経路の範囲を検出する障害発生検出部を備え、前記スイッチ制御部は、前記太陽光発電装置から電力を供給する給電範囲を設定する際に、前記障害が発生した給電経路を除外して給電範囲を設定するとともに、前記情報提示部は、前記給電経路において電力を供給する給電範囲と、前記障害が発生した給電経路である非給電範囲とを識別して表示することを特徴とする。
【００１６】
また、上記給電システムにおいて、前記優先順位は、前記負荷装置の種別と、当該負荷装置が設備される位置と、の何れか又は両方に応じて設定されることを特徴とする。
【００１７】
また、上記給電システムにおいて、前記優先順位は、時間帯、曜日、天候、又は季節の何れか又は全部に応じて設定されること特徴とする。
【００１８】
また、上記給電システムにおいて、前記スイッチ制御部と、前記優先順位保持部と、前記障害発生検出部と、を含む電源供給装置を備え、前記電源供給装置は、出力を停止した停止状態の前記パワーコンディショナに当該パワーコンディショナから電力を出力させることを可能にする動作電圧を供給することを特徴とする。
【００１９】
また、上記給電システムにおいて、前記スイッチ部は、前記電源供給装置からスイッチ制御信号を受信するスイッチ制御信号受信部と、前記スイッチ制御信号受信部により受信したスイッチ制御信号に基づき、前記スイッチ部の開閉を行うスイッチ開閉部と、を備えることを特徴とする。
【００２０】
また、上記給電システムにおいて、前記スイッチ部は、前記給電経路を接続及び遮断するための半導体スイッチング素子を含めて構成されることを特徴とする。
【００２１】
また、本発明の給電制御装置は、電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムにおける給電制御装置であって、前記給電経路に配置されるスイッチ部であって前記太陽光発電装置からの電力を供給する給電範囲と前記電力を供給しない非給電範囲とを分割する箇所に配置されるスイッチ部の開閉状態を制御することにより前記給電経路における給電範囲を設定するスイッチ制御部と、前記太陽光発電装置から前記負荷装置に電力を供給する優先順位を示す優先順位の情報を保持する優先順位保持部と、前記給電経路における給電状況に関連する情報を提示する情報提示部と、を備え、前記スイッチ制御部は、前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させることを特徴とする。
【００２２】
また、本発明の給電制御方法は、電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムにおける給電制御方法であって、前記給電経路において、前記太陽光発電装置からの電力を供給する給電範囲と前記電力を供給しない非給電範囲とを分割する箇所にスイッチ部を配置するステップと、前記太陽光発電装置から前記負荷装置に電力を供給する優先順位を示す優先順位の情報を保持する優先順位保持ステップと、前記スイッチ部の開閉状態を制御して、前記給電経路における給電範囲を設定するスイッチ制御ステップと、前記給電経路における給電状況に関連する情報を情報提示部に提示する情報提示ステップと、を含み、さらに、前記スイッチ制御ステップには、前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させるステップを含むことを特徴とする。
【００２３】
また、本発明のプログラムは、電圧を出力する電源装置の給電経路に接続された複数の負荷装置に前記電源装置から前記給電経路を介して電力を供給するとともに、太陽光発電装置がパワーコンディショナを介して前記給電経路に接続され、該太陽光発電装置から前記給電経路に電力を供給する給電システムであって、前記給電経路において、前記太陽光発電装置からの電力を供給する給電範囲と前記電力を供給しない非給電範囲とを分割する箇所に配置されるスイッチ部と、前記太陽光発電装置から前記負荷装置に電力を供給する優先順位を示す優先順位の情報を保持する優先順位保持部と、前記電源装置が停電した際に、前記負荷装置について設定される優先順位の情報を保持する優先順位保持部と、前記スイッチ部の開閉状態を制御して、前記給電経路における給電範囲を設定するスイッチ制御部と、前記給電経路における給電状況に関連する情報を提示する情報提示部と、を備える前記給電システム内のコンピュータに、前記スイッチ制御部により、前記太陽光発電装置から電力を供給する給電範囲を設定する際に、前記給電経路に給電することが可能であるか否かを示す当該給電経路の状態を示す情報と前記太陽光発電装置が供給できる電力量と前記優先順位の情報とのうちの何れかの情報に基づいて、前記負荷装置に電力を供給する給電範囲を設定して、前記給電範囲に電力の供給を開始させるとともに、前記設定した給電経路における給電状況を前記情報提示部に提示させるステップを実行させるためのプログラムである。
【発明の効果】
【００２４】
本発明の給電システム、電源供給装置、給電システムにおける給電制御方法及びプログラムによれば、太陽光発電装置から給電経路に電力を供給する際に、電力の供給を必要とする負荷装置に対して優先的に電力を供給できるととともに、負荷装置への給電状況をユーザに提示できる。
【図面の簡単な説明】
【００２５】
【図１】本発明の第１実施形態に係る直流給電システム１の概略構成を示す構成図である。
【図２】スイッチ部の構成を示す構成図である。
【図３】ＰＣＳ５と電源供給装置６の構成例を示す構成図である。
【図４】スイッチ制御信号ＣＮＴの例を示す説明図である。
【図５】優先順位テーブルの例を示す説明図である。
【図６】直流給電システム１の停電時におけるＰＣＳ５の起動処理の手順を示すフローチャートである。
【図７】ＰＣＳ５の起動処理の手順の第１の変形例を示すフローチャートである。
【図８】ＰＣＳ５の起動処理の手順の第２の変形例を示すフローチャートである。
【図９】コントロールパネル６４の一例を示す説明図である。
【図１０】スイッチ部の制御回路の構成例を示す構成図である。
【図１１】直流給電システムにおける優先順位に基づく電力供給処理の手順を示すフローチャートである。
【図１２】直流給電システムにおけるコントロールパネルによる電力供給処理の手順を示すフローチャートである。
【図１３】負荷装置の優先順位をエリアごとに設定する例を示す説明図である。
【図１４】エリアごとに設定される優先順位テーブルの例を示す説明図である。
【図１５】太陽光発電装置の停電時の人の動線の例を示す説明図である。
【図１６】人の動線を考慮して設定される優先順位テーブルの例を示す説明図である。
【図１７】給電範囲と移動ルートを示してユーザを誘導する表示画面の例を示す説明図である。
【図１８】出発地と目的地の設定画面の例を示す説明図である。
【図１９】推奨される移動ルートの表示画面の例を示す説明図である。
【図２０】人の動線を考慮して設定される優先順位テーブルの例を示す説明図である。
【図２１】給電範囲と移動ルートを示してユーザを誘導する表示画面の例を示す説明図である。
【図２２】本発明の第２実施形態に係る直流給電システム１Ｂの構成を示す構成図である。
【図２３】本発明の第３実施形態に係る直流給電システム１Ｃの構成を示す構成図である。
【図２４】第３実施形態における電源供給装置６Ｂの構成例を示す構成図である。
【図２５】障害発生検出部をスイッチ部に設ける例を示す構成図である。
【図２６】給電経路に障害が発生していない場合の移動ルートの設定例を示す説明図である。
【図２７】移動ルートＲ１に応じた優先順位テーブルの例を示す説明図である。
【図２８】給電経路に障害が発生している場合の移動ルートの設定例を示す説明図である。
【図２９】移動ルートＲ２に応じた優先順位テーブルの例を示す説明図である。
【図３０】本発明の第４実施形態に係る交流給電システム１Ｄの概略構成を示す構成図である。
【発明を実施するための形態】
【００２６】
以下、本発明の実施の形態を添付図面を参照して説明する。
【００２７】
［第１実施形態］
（直流給電システム１の概略構成）
図１に、本発明の実施形態に係る直流給電システム１の概略構成を示す。この直流給電システム１は、例えば、データセンタや通信局舎等のビルに設備される直流給電システムの例である。
図１に示す直流給電システム１は、受電設備２、直流電源装置（ＲＥＣ）３、負荷装置までの給電経路、スイッチ部１０１から１１６、太陽光発電装置（ＰＶ）４、パワーコンディショナ（ＰＣＳ）５、蓄電装置（ＢＡＴＴ）７、ＰＣＳ８、及び電源供給装置６を備える。
受電設備２は、遮断器（ＣＢ）２Ａ、変圧器２Ｃ、及び保護継電器２Ｄを備えている。保護継電器２Ｄは、例えば、過電流継電器、地絡継電器、不足電圧継電器（何れも不図示）などを含んで構成されており、これらの継電器がそれぞれの検出条件に応じて異常状態を検出すると、その信号が遮断器２Ａに送られ当該遮断器２Ａを開放させる。
例えば、過電流継電器は、電路に過電流が流れたことを検出した場合に遮断器２Ａを開放して、地絡継電器は、電路や機器に地絡が発生したことを検出した場合に遮断器２Ａを開放して、不足電圧継電器は、停電や事故により商用電力系統ＰＳから商用電力を受電できなくなったことを検出した場合に遮断器２Ａを開放する。
【００２８】
なお、遮断器２Ａには、主接触子と機械的に連動する補助接点２Ｂが設備されており、この補助接点２Ｂの開閉状態が、遮断器２Ａの開閉状態を示す接点信号Ａｕｘとして、後述する電源供給装置６に出力される。つまり、直流給電システム１は、停電や事故により商用電力系統ＰＳから商用電力を受電できなくなったことを接点信号Ａｕｘにより検出することができる。
また、商用電力系統ＰＳが停電したことを検出する方法としては、例えば、変圧器２Ｃの２次側にボルティジ・センサ（電圧検出リレー）を設け、このボルティジ・センサにより商用電力系統ＰＳが停電したことを検出してもよい。
また、直流電源装置３内に、商用電力系統ＰＳが停電したことを検出するボルティジ・センサや電圧検出回路を設け、このボルティジ・センサや電圧検出回路により商用電力系統ＰＳが停電したことを検出してもよい。
【００２９】
変圧器２Ｃは、商用電力系統ＰＳから供給される高圧交流電圧（例えば、３相ＡＣ６６００Ｖ）を所定の低圧交流電圧（例えば、３相ＡＣ４００Ｖ）に降圧し、この低圧交流電圧を直流電源装置（ＲＥＣ）３に供給する。直流電源装置３は、商用交流電力を直流電力に変換する整流装置であり、変圧器２Ｃから入力される低圧交流電圧を所定の電圧の直流電圧に変換する。例えば、直流電源装置３はＡＣ／ＤＣコンバータであり、ＤＣ３８０Ｖの直流電圧を、主幹の電力供給線である給電経路Ｐ１１及びＮ１１へ出力する。
【００３０】
給電経路Ｐ１１及びＮ１１には、スイッチ部１０１及びパワーコンディショナ（ＰＣＳ）５を介して、太陽光発電装置４が接続されている。スイッチ部１０１は、太陽光発電装置４のＰＣＳ５と、給電経路Ｐ１１及びＮ１１との間の接続／開放を行うための開閉器を含み、スイッチ部１０１が接続状態にある時にＰＣＳ５を直流電源装置３の出力に連系可能にする。
また、給電経路Ｐ１１及びＮ１１には、スイッチ部１０２及びＰＣＳ８を介して、蓄電池を備える蓄電装置（ＢＡＴＴ）７が接続されている。スイッチ部１０２は、蓄電装置７のＰＣＳ８と、給電経路Ｐ１１及びＮ１１との間の接続／開放を行うための開閉器を含み、スイッチ部１０２が接続状態にある時にＰＣＳ８を直流電源装置３の出力に連系可能にする。
また、スイッチ部１１１からスイッチ部１１６は、給電経路Ｐ２１及びＮ２１から給電経路Ｐ２８及びＮ２８において電路を開閉するための開閉器を含む。また、給電経路Ｐ１１及びＰ２１から給電経路Ｐ２８は、正極側の給電線を示し、給電経路Ｎ１１及びＮ２１から給電経路Ｎ２８は、負極側の給電線を示している。
なお、以下の説明において、スイッチ部１０１、１０２、及びスイッチ部１１１から１１６を総称する場合は、「スイッチ部１００」と呼ぶ。
【００３１】
また、蓄電装置７は、例えば、リチウムイオン電池、鉛電池、ニッケル水素電池等の２次電池を備える。蓄電装置７は、直流電源装置３の出力が停止した停電状態にない通常時には、ＰＣＳ８を介して直流電源装置３からの電力によって蓄電される。蓄電装置７は、直流電源装置３の出力が停止した停電状態にある停電時（以下、「直流電源装置３の停電時」という。）には、蓄えた電力をＰＣＳ８を介して、給電経路Ｐ１１及びＮ１１に供給する。なお、ＰＣＳ８は、通常時における使用電力のピークカットを目的に蓄電装置７の充放電制御を行うこともできる。
【００３２】
太陽光発電装置（ＰＶ）４は、太陽電池アレイ（太陽電池）４ａを備えており、この太陽電池アレイ４ａにより太陽光エネルギーを電気エネルギーに変換してＰＣＳ５に出力する。ＰＣＳ５は、直流電源装置３が直流電力を供給している通常時には、太陽光発電装置４が発電した電力を給電経路Ｐ１１及びＮ１１に供給して、直流電源装置３から給電経路Ｐ１１及びＮ１１に供給される電力量を低減させる。また、ＰＣＳ５は、直流電源装置３において停電が発生すると、この停電が発生したことを示す信号を直流電源装置３等から受信し、一旦その動作を停止する。その後、バックアップ用の蓄電装置７のＰＣＳ８から給電経路Ｐ１１及びＮ１１に電力の供給が開始され、やがてこの蓄電装置７に蓄積された電荷が不足又は枯渇し、蓄電装置７のＰＣＳ８から給電経路Ｐ１１及びＮ１１に電力を供給できなくなると、ＰＣＳ５は、再び起動する。
【００３３】
つまり、ＰＣＳ５は、直流電源装置３の停電時において、蓄電装置７から給電経路Ｐ１１及びＮ１１に電力の供給ができなくなると起動し、太陽光発電装置４が発電した電力を給電経路Ｐ１１及びＮ１１に供給する。
このようにして、太陽光発電装置４は、直流電源装置３及び蓄電装置７の双方から電力を供給できない状態において、電力の供給を必要とする負荷装置へ電力を供給する。例えば、照明装置等に電力を供給する。なお、ＰＣＳ５の詳細については後述する。
【００３４】
なお、本実施形態の直流給電システム１では、ＰＣＳ５の基本的な起動方法として、商用電力系統ＰＳから電力を供給できない直流電源装置３の停電時において、ＰＣＳ５が一旦動作を停止した後、蓄電装置７の電荷が不足又は枯渇した状態になるとＰＣＳ５が再起動する例について説明するが、ＰＣＳ５の起動方法としては、他の起動方法を用いることもできる。
例えば、直流電源装置３の停電時にＰＣＳ５が一旦停止した後、電源供給装置６が母線電圧（給電経路Ｐ１１及びＮ１１の電圧）を検出し、この母線電圧が基準電圧範囲内、例えば、定格電圧の±１０％以内であればＰＣＳ５を再起動するようにしてもよい。この起動方法の詳細については、後述する。
さらに、直流電源装置３の停電時にＰＣＳ５の動作を一旦停止させる場合に、電源供給装置６は、商用電力系統ＰＳの停電を示す信号を受信せずに、給電母線となる給電経路Ｐ１１及びＮ１１が所定の電圧値以下、例えば、ゼロ電圧に近い値であることを検出して、ＰＣＳ５の動作を停止するようにしてもよい。この起動方法の詳細については、後述する。
【００３５】
また、ＰＣＳ５に接続されるスイッチ部１０１は、給電経路Ｐ１１及びＮ１１の系統に障害（例えば、線間短絡等）が発生した場合に開（オフ）状態になり、太陽光発電装置４を系統から分離させる。また、スイッチ部１０１は、直流電源装置３の停電時にも一旦開（オフ）状態になるものとする。
また、ＰＣＳ８に接続されるスイッチ部１０２は、給電経路Ｐ１１及びＮ１１の系統に障害が発生した場合に開（オフ）状態になり、蓄電装置７を系統から分離させる。このスイッチ部１０２は、給電経路Ｐ１１及びＮ１１の系統に障害が発生していない通常の場合には、閉（オン）状態にされている。
なお、太陽光発電装置４のＰＣＳ５や蓄電装置７のＰＣＳ８が、給電経路Ｐ１１及びＮ１１の系統に障害が発生した場合に出力電流を遮断する保護機能を備える場合は、スイッチ部１０１及び１０２を省略することも可能である。
【００３６】
そして、上記給電経路Ｐ１１及びＮ１１は、分電盤（ＰＤＦ）１１の入力側に接続され、直流電源装置３は、この分電盤１１を介して、給電経路Ｐ２１及びＮ２１から給電経路Ｐ２８及びＮ２８の系統内に配置されたそれぞれの負荷装置Ｌ１１から負荷装置Ｌ１６へ電力を供給する。負荷装置Ｌ１１から負荷装置Ｌ１６は、いずれも直流電源装置３から供給される直流電力によって動作する装置である。例えば、負荷装置Ｌ１１から負荷装置Ｌ１６は、直流家電、ＬＥＤ照明、パソコンやサーバなどの情報機器等である。また、給電経路Ｐ２１及びＮ２１から給電経路Ｐ２８及びＮ２８の所定の箇所には、負荷装置Ｌ１１から負荷装置Ｌ１６に電力を供給する給電範囲を設定するためのスイッチ部１１１からスイッチ部１１６が配置されている。つまり、スイッチ部１１１からスイッチ部１１６は、給電経路において、太陽光発電装置４からの電力を供給する給電範囲と、電力を供給しない非給電範囲とを分割する箇所に配置されている。
【００３７】
上記給電経路についてより詳細に説明すると、給電経路Ｐ１１及びＮ１１は、分電盤（ＰＤＦ）１１の入力側に接続され、この分電盤１１内の過電流遮断器（不図示）等を用いた分岐回路により、給電経路Ｐ２１及びＮ２１と、給電経路Ｐ２４及びＮ２４と、に分岐される。そして、給電経路Ｐ２１及びＮ２１は、スイッチ部１１１を介して、給電経路Ｐ２２及びＮ２２に接続され、この給電経路Ｐ２２及びＮ２２には負荷装置Ｌ１１が接続される。また、給電経路Ｐ２２及びＮ２２から、スイッチ部１１２を介して、給電経路Ｐ２３及びＮ２３が分岐され、この給電経路Ｐ２３及びＮ２３に、負荷装置Ｌ１２が接続される。
【００３８】
一方、分電盤１１から分岐される給電経路Ｐ２４及びＮ２４は、スイッチ部１１３を介して、給電経路Ｐ２５及びＮ２５に分岐され、この給電経路Ｐ２５及びＮ２５には、負荷装置Ｌ１３が接続される。また、給電経路Ｐ２４及びＮ２４は、スイッチ部１１４を介して給電経路Ｐ２６及びＮ２６に分岐され、この給電経路Ｐ２６及びＮ２６には、負荷装置Ｌ１４が接続される。また、給電経路Ｐ２６及びＮ２６は、スイッチ部１１５を介して給電経路Ｐ２７及びＮ２７に分岐され、この給電経路Ｐ２７及びＮ２７には、負荷装置Ｌ１５が接続される。また、給電経路Ｐ２６及びＮ２６は、スイッチ部１１６を介して給電経路Ｐ２８及びＮ２８に分岐され、この給電経路Ｐ２８及びＮ２８には、負荷装置Ｌ１６が接続される。
なお、上記スイッチ部１１１からスイッチ部１１６は、直流電源装置３に停電が発生し、その後、バックアップ用の蓄電装置７に蓄積された電荷が不足又は枯渇し、この蓄電装置７からシステム全体として必要な電力の供給ができなくなった場合に、一旦、開（オフ）状態になるものとする。そして、太陽光発電装置４のＰＣＳ５の起動後に、スイッチ部１１１からスイッチ部１１６の開閉状態を制御することにより、給電範囲を順次に拡大することができるようにしている。
【００３９】
図２は、スイッチ部の構成を示す構成図である。スイッチ部１００は、図２（Ａ）に示すスイッチＳＷのように、双投接点（２接点）を用いて、正極側の給電線Ｐと負極側の給電線Ｎのそれぞれを接続又は開放するように構成されている。なお、スイッチ部１００は、図２（Ｂ）に示すスイッチＳＷのように、単投接点（１接点）を用いて、正極側の給電線Ｐ（又は負極側の給電線Ｎ）のみを接続又は開放するようにしてもよい。さらに、スイッチ部１００は、図２（Ｃ）に示すように、第１方向スイッチＳＷａと、第２方向スイッチＳＷｂと、第３方向スイッチＳＷｃの接点とが相互に接続され、３方向のいずれかの方向から入力された電圧を、他の２方向又は１方向に出力することができるＴ型スイッチであってもよい。
【００４０】
また、図１及び図２では、スイッチ部１００として、機械式接点を用いたスイッチの例を示しているが、実際には、スイッチＳＷは、ＩＧＢＴ（Insulated Gate Bipolar Transistor）等の半導体スイッチング素子を用いた半導体スイッチで構成されている。この半導体スイッチは、給電経路を接続及び遮断させて、接続時に供給先の給電経路及び負荷装置に直流電流を供給するとともに、遮断時に当該負荷装置に流れる負荷電流を遮断できる能力を持つように構成されている。なお、このスイッチ部１００の構成については後述する。
【００４１】
図１に戻り、電源供給装置６は、直流電源装置３の停電時において、直流電源装置３及び蓄電装置７の双方から給電経路Ｐ１１及びＮ１１に電力の供給ができなくなり、ＰＣＳ５の２次側（出力側）の電圧がなくなった場合に、ＰＣＳ５を起動させる基準となる動作電圧をＰＣＳ５に供給してこのＰＣＳ５を自立起動させる。つまり、電源供給装置６は、出力を停止した停止状態のＰＣＳ５にＰＣＳ５から電力を出力させることを可能にする動作電圧を供給して、ＰＣＳ５を自立起動させる。
なお、直流電源装置３から給電経路Ｐ１１及びＮ１１に対して電力の供給がなくなる状態は、商用電力系統ＰＳが停電した場合や、直流電源装置３が故障した場合や、給電経路Ｐ１１及びＮ１１が事故等により遮断された場合に発生する。
また、蓄電装置７から給電経路に電力が供給されない状態は、蓄電装置７の蓄電量（蓄積した電荷量）が低下した場合や、蓄電装置７のＰＣＳ８が電力の供給を停止した場合に発生する。なお、蓄電装置７のＰＣＳ８が電力の供給を停止する場合には、蓄電装置７の蓄電量を保持するなどの目的で、蓄電装置７の蓄電量が枯渇していない状態においても、ＰＣＳ８を敢えて停止させる場合もある。
【００４２】
また、電源供給装置６は、ＰＣＳ５を起動させた後、一旦開状態にされたスイッチ部１００に対してスイッチ制御信号ＣＮＴを送信し、スイッチ部１００の開閉状態を制御する。これにより、電源供給装置６は、太陽光発電装置４から給電経路Ｐ１１及びＮ１１に対して電力を供給させるとともに、給電経路Ｐ２１及びＮ２１から給電経路Ｐ２８及びＮ２８における給電範囲を制御する。
つまり、電源供給装置６は、スイッチ部１１１からスイッチ部１１６の開閉状態を制御することにより、給電経路Ｐ２１及びＮ２１から給電経路Ｐ２８及びＮ２８における給電範囲を調整する。これにより、電源供給装置６は、直流電源装置３と蓄電装置７の双方から電力の供給ができない場合に、太陽光発電装置４から電力を供給する停電時使用負荷装置（例えば、照明装置等）と、電力を供給しない負荷装置（例えば、空調装置等）とを選択することができる。
【００４３】
このようにして、電源供給装置６は、ＰＣＳ５が停止状態になり、ＰＣＳ５から電力を出力させることを可能にする動作電圧が給電経路Ｐ１１及びＮ１１からＰＣＳ５に供給されない場合に、ＰＣＳ５に動作電圧を供給して該ＰＣＳ５を起動させる。さらに、電源供給装置６は、スイッチ部１００に対してスイッチ制御信号ＣＮＴを送信し、該スイッチ制御信号ＣＮＴによりスイッチ部１００の開閉状態を制御する。これにより、電源供給装置６は、給電経路Ｐ２１及びＮ２１から給電経路Ｐ２８及びＮ２８における給電範囲を設定する。
【００４４】
（太陽光発電装置４のＰＣＳ５と電源供給装置６の構成）
図３は、太陽光発電装置４のＰＣＳ５と電源供給装置６の構成例を示す構成図である。図３に示すように、ＰＣＳ５は、発電量制御部５１と、系統連系制御部５２と、ＤＣ／ＤＣコンバータ５３とを備える。
【００４５】
発電量制御部５１は、太陽光発電装置４から最大電力を取り出すために、太陽電池アレイ４ａのＩ−Ｖ（電流−電圧）特性において、太陽電池アレイ４ａの出力を最大とする動作点（最大電力点）を制御する。太陽電池アレイ４ａは、接続されている負荷が実際に必要としている電圧によって最大電力点がずれる。Ｉ−Ｖ特性は、日射強度やモジュール温度や状態等によって変化することから、最大電力を得るためには、最適な電圧又は電流を自動で追従しなければならない。そこで、発電量制御部５１は、太陽電池アレイ４ａを、最大電力点で動作させるように制御する。また、発電量制御部５１は、太陽光発電装置４から出力可能な電力が、「所定値以上の電力であるか否かの情報」を電源供給装置６に通知する。この「太陽光発電装置４から出力可能な電力が所定値以上の電力であるか否かの情報」は、電源供給装置６が、一旦動作を停止したＰＣＳ５を再起動させる際の起動条件として用いられる。
また、系統連系制御部５２は、給電母線となる給電経路Ｐ１１及びＮ１１の電圧を検出して、ＤＣ／ＤＣコンバータ５３の出力電圧を調整することにより、給電経路Ｐ１２及びＮ１２に対して連系させてＰＣＳ５から出力される電力を給電できるように制御する。ＤＣ／ＤＣコンバータ５３は、太陽光発電装置４の出力電圧を昇圧（または降圧）して給電経路Ｐ１１及びＮ１１に電力を供給するためのコンバータである。
【００４６】
電源供給装置６（給電制御装置）は、ＰＣＳ起動部６１と、母線電圧検出部６１Ａと、スイッチ制御部６２と、優先順位保持部６３と、コントロールパネル６４と、蓄電池６５と、を備える。
母線電圧検出部６１Ａは、給電母線となる給電経路Ｐ１１及びＮ１１の直流電圧を検出する。
ＰＣＳ起動部６１は、直流電源装置３と蓄電装置７の双方から給電経路Ｐ１１及びＮ１１に電力の供給ができなくなり、ＰＣＳ５に動作電圧を供給されなくなったことを母線電圧検出部６１Ａが検出した場合に、内蔵する蓄電池６５により太陽光発電装置４のＰＣＳ５に動作電圧を供給してこのＰＣＳ５を自立起動させる。
また、ＰＣＳ起動部６１は、ＰＣＳ５の起動動作と停止動作とを制御するとともに、ＰＣＳ８の起動動作と停止動作とを制御する。
【００４７】
スイッチ制御部６２は、コントロールパネル６４からの制御に応じてスイッチ部１００を制御する。スイッチ制御部６２は、スイッチ部１０１にスイッチ制御信号ＣＮＴを送信し、スイッチ部１０１を閉状態（オン状態）にすることにより、太陽光発電装置４を給電経路Ｐ１１及びＮ１１に接続して連系させる。また、スイッチ制御部６２は、スイッチ部１０２にスイッチ制御信号ＣＮＴを送信し、スイッチ部１０２を閉状態（オン状態）にすることにより、蓄電装置７を給電経路Ｐ１１及びＮ１１に接続して連系させる。
さらに、スイッチ制御部６２は、スイッチ部１１１からスイッチ部１１６に対してスイッチ制御信号ＣＮＴを送信し、スイッチ部１１１からスイッチ部１１６の開閉状態を制御する。
【００４８】
例えば、直流電源装置３の停電時において、蓄電装置７が負荷装置Ｌ１１からＬ１６に電力の供給ができなくなり、太陽光発電装置４から負荷装置に電力を供給する場合に、スイッチ制御部６２は、負荷装置についての優先順位の情報を参照し、この優先順位の情報に基づいて、優先順位の高い負荷装置を優先させて優先順位の高い負荷装置から順に電力を供給する。優先順位の情報は、優先順位保持部６３に保持される。なお、後述するように、太陽光発電装置４から電力を供給する負荷装置は、コントロールパネル６４で設定されるユーザからの指示情報に基づいて選択することもできる。
【００４９】
図４は、スイッチ制御信号ＣＮＴの例を示す説明図である。この図４に示すスイッチ制御信号ＣＮＴの例では、スイッチ制御信号ＣＮＴを、「スイッチの識別情報」と、当該スイッチの「オン／オフ（開閉）情報」とで構成している。このスイッチ制御信号ＣＮＴをスイッチ部１００に向けて送信することにより、「スイッチの識別情報」に該当するスイッチ部１００では、「オン／オフ（開閉）情報」に基づいて、スイッチのオン／オフ（開閉）動作を行う。
【００５０】
図３に戻り、スイッチ制御信号ＣＮＴをスイッチ部１００に送信する信号経路としては、専用の信号線を設けてもよく、又、給電経路Ｐ１１及びＮ１１、Ｐ２１及びＮ２１からＰ２８及びＮ２８のうち少なくとも一部の給電経路を信号線として利用するようにしてもよい。そして、専用の信号線を設ける場合は、スイッチ部１００を動作させる電源もこの信号線を介して、電源供給装置６から供給することができる。
また、給電経路Ｐ１１及びＮ１１、Ｐ２１及びＮ２１からＰ２８及びＮ２８のうち少なくとも一部の給電経路を信号線として利用する場合は、例えば、スイッチ部１１１がオン状態にある場合にのみ、スイッチ部１１２にスイッチ制御信号ＣＮＴを送信できるなど、スイッチ部１１１からスイッチ部１１６の開閉（オン／オフ）状態に応じて、オフ状態にあるスイッチ部１００より遠方側に対するスイッチ制御信号ＣＮＴの送信が制限される。また、給電経路を信号線として利用する場合、この給電経路を介して、スイッチ部１００を動作させる電源を供給できる。
【００５１】
また、優先順位保持部６３は、直流電源装置３の停電時において、太陽光発電装置４から負荷装置Ｌ１１及びＬ１６の各負荷装置に電力を供給する際の、負荷装置ごとの電力を供給する優先順位を示す情報を優先順位テーブルとして保持している。
図５は、優先順位テーブルの例を示す説明図である。この図５に示す優先順位テーブル６３１では、太陽光発電装置４の発電可能時間を「８：００〜１８：００」と仮定し、この時間帯「８：００〜１８：００」において、日照量の比較的少ない時間帯「８：００〜１０：００」及び「１６：００〜１８：００」と、日照量の比較的多い時間帯「１０：００〜１６：００」とに分けて、負荷装置Ｌ１１からＬ１６に対する優先順位を設定している。つまり、優先順位テーブルには、２つの時間帯に対応する優先順位がそれぞれ設定されている。
【００５２】
例えば、時間帯「８：００〜１０：００」及び「１６：００〜１８：００」において、負荷装置Ｌ１１（例えば、照明装置）を優先順位の中で最も優先順位が高い第１位の優先順位、負荷装置Ｌ１３（例えば、換気装置）を次に優先順位が高い第２位の優先順位、負荷装置Ｌ１２（例えば、空調装置）を次に優先順位が高い第３位の優先順位の負荷装置とする。そして、太陽光発電装置４から第１位の優先順位の負荷装置Ｌ１１に電力供給している状態において、太陽光発電装置４の電力供給能力に負荷装置Ｌ１３に電力を供給するだけの余力がある場合は、次の第２位の負荷装置Ｌ１３を選択して電力を供給する。さらに太陽光発電装置４の電力供給能力に負荷装置Ｌ１２に電力を供給するだけの余力がある場合は、第３位の負荷装置Ｌ１２を選択して電力を供給する。以下、同様である。
【００５３】
また、時間帯「１０：００〜１６：００」においては、上記の優先順位テーブルとは異なり、負荷装置Ｌ１３（換気装置）と負荷装置Ｌ１２（空調装置）の優先順位を入れ替えている。これは、例えば、夏場等において、時間帯「１０：００〜１６：００」には日照量が多くなり室温が高くなる可能性があるので、負荷装置Ｌ１３（空調装置）の優先順位を高く設定して、冷房を優先して行えるようにするためである。
このように、優先順位テーブル６３１に保持する優先順位の情報は、時間帯ごとに異なる設定にできる他、天候、季節、曜日（平日、休日）に応じて異なる設定にできる。このように優先順位テーブル６３１を設定することにより、スイッチ制御部６２は、時間帯、天候、季節、曜日（平日、休日）に応じて、負荷装置に電力を供給する優先順位を変更することができる。
【００５４】
そして、ＰＣＳ５の起動後、太陽光発電装置４から給電経路Ｐ２１及びＮ２１から給電経路Ｐ２８及びＮ２８に電力を供給する場合に、スイッチ制御部６２は、太陽光発電装置４の電力供給能力と、負荷装置Ｌ１１からＬ１６の優先順位の情報と、に基づいて、優先順位の高い負荷装置から順番に電力の供給を開始する。つまり、スイッチ制御部６２は、ＰＣＳ５から太陽光発電装置４の発電量の通知を受け、また、優先順位テーブル６３１を参照し、必要度の高い負荷装置Ｌ１１から順番に電力の供給が行えるように、スイッチ部１００の開閉状態を制御して給電経路における給電範囲を設定する。
【００５５】
なお、給電範囲の設定による電力を供給する負荷装置の選択は、スイッチ制御部６２が、太陽光発電装置４の発電量の情報と優先順位テーブル６３１の情報とに基づいて設定することを基本にしているが、これと併せて、ユーザがコントロールパネル６４により給電範囲を設定して、電力を供給する負荷装置を選択することも可能である。このコントロールパネル６４による給電範囲の設定方法については、後述する。
【００５６】
また、電源供給装置６内の蓄電池６５は、直流電源装置３から電力を供給する通常状態において、例えば、給電経路Ｐ１１及びＮ１１から常時充電されている。そして、直流電源装置３の停電時において、蓄電装置７が電力を出力できない状態となり、ＰＣＳ５を起動させる際に、蓄電池６５は、ＰＣＳ５に電力を出力させるようにする動作電圧を電源供給装置６に供給して、電源供給装置６の動作を開始させるとともに、この電源供給装置６からＰＣＳ５に動作電圧を供給して、ＰＣＳ５を自立起動させる。なお、蓄電池６５に代えて、燃料電池やエンジン発電機を使用してＰＣＳ５を自立起動させてもよい。
【００５７】
（ＰＣＳ５の起動処理の手順）
次に、直流給電システム１の停電時におけるＰＣＳ５の起動処理の手順について説明する。
図６は、直流給電システム１の停電時におけるＰＣＳ５の起動処理の手順を示すフローチャートである。この図６に示すフローチャートは、商用電力系統ＰＳから直流電源装置３に電力を供給できない停電状態が発生した場合に、ＰＣＳ５が一旦動作を停止し、蓄電装置７の電荷が不足又は枯渇した状態になるとＰＣＳ５が再起動する例である。
【００５８】
以下、図６に示すフローチャートを参照して、直流給電システム１におけるＰＣＳ５の起動処理の手順について説明する。
まず、商用電力系統ＰＳから直流電源装置３に電力を供給することができない停電状態が発生したとする。
この商用電力系統ＰＳにおいて停電状態が発生すると、受電設備２内の遮断器２Ａが保護継電器２Ｄ内の不足電圧継電器（不図示）の動作により開放し、遮断器２Ａの補助接点２Ｂが開放する。電源供給装置６は、遮断器２Ａの補助接点２Ｂが開放されたことを、接点信号Ａｕｘにより検出して、商用電力系統ＰＳに停電状態が発生したことを検知する（ステップＳ１００）。
【００５９】
続いて、電源供給装置６は、蓄電装置７のＰＣＳ８を制御して、蓄電装置７から給電経路Ｐ１１及びＮ１１に向けての放電を開始させるとともに（ステップＳ１０５）、ＰＣＳ５の動作を一旦停止させる（ステップＳ１１０）。また、電源供給装置６は、スイッチ部１０１を開放する（ステップＳ１１５）。これにより、電源供給装置６は、商用電力系統ＰＳにおいて停電状態が発生したことを検出した場合に、ＰＣＳ５の動作を一旦停止させるとともに、蓄電装置７から給電経路Ｐ１１及びＮ１１に電力を供給することができる。
【００６０】
続いて、電源供給装置６は、母線電圧検出部６１Ａにより、給電母線である給電経路Ｐ１１及びＮ１１の電圧が所定の電圧値以下（例えば、ゼロ電圧に近い値）に低下しているか否かを検出する（ステップＳ１２０）。つまり、蓄電装置７が放電を開始した後、蓄電装置７から給電経路Ｐ１１及びＮ１１に供給される直流電圧が、蓄電装置７の電荷の不足又は枯渇により、所定の電圧値以下に低下しているか否かを、電源供給装置６が検出する。
【００６１】
そして、ステップＳ１２０の処理において、給電経路Ｐ１１及びＮ１１の電圧が所定の電圧値以下に低下していると判定された場合（ステップＳ１２０：Ｙｅｓ）、電源供給装置６は、ステップＳ１３０の処理ステップに移行し、太陽光発電装置４から出力可能な電力が所定値以上の電力であるか否かを判定する（ステップＳ１３０）。すなわち、太陽光発電装置４が所定値以上の日照量を得ることができる状態にあり、ＰＣＳ５から給電経路に所定値以上の電力を供給できる状態にあるか否かを判定する。この所定値は、例えば、少なくとも１つの負荷装置に電力を供給できる電力量を下限値として、任意の値に設定することができる。
【００６２】
続いて、ステップＳ１３０の処理において、太陽光発電装置４が給電経路に電力を出力できる状態にあると判定された場合（ステップＳ１３０：Ｙｅｓ）、電源供給装置６は、ステップＳ１４０の処理ステップに移行し、ＰＣＳ起動部６１により、ＰＣＳ５から電力を出力させることを可能にする動作電圧を当該ＰＣＳ５に供給して、ＰＣＳ５を起動させる（ステップＳ１４０）。
【００６３】
続いて、電源供給装置６は、スイッチ制御部６２により、スイッチ部１０１を投入して、ＰＣＳ５から給電経路Ｐ１１及びＮ１１に直流電力を出力させる（ステップＳ１５０）。そして、このステップＳ１５０の処理を実行した後に、電源供給装置６は、このＰＣＳ５の起動処理を終える。
【００６４】
一方、ステップＳ１２０の処理において、給電経路Ｐ１１及びＮ１１の電圧が所定の電圧値以下に低下していないと判定された場合（ステップＳ１２０：Ｎｏ）、電源供給装置６は、ステップＳ１１０の処理に戻り、ＰＣＳ５の動作停止状態とスイッチ部１０１の開放状態とを継続させる。
また、ステップＳ１３０の処理において、太陽光発電装置４が給電経路に電力を出力できる状態にないと判定された場合（ステップＳ１３０：Ｎｏ）、電源供給装置６は、ステップＳ１１０の処理に戻り、ＰＣＳ５の動作停止状態とスイッチ部１０１の開放状態とを継続させる。
【００６５】
これにより、直流給電システム１では、商用電力系統ＰＳから直流電源装置３に電力を供給できない停電状態が発生した場合に、ＰＣＳ５の動作を一旦停止させるとともに、蓄電装置７から給電経路Ｐ１１及びＮ１１に電力を供給することができる。その後、蓄電装置７に蓄積された電荷が不足又は枯渇した場合に、電源供給装置６は、ＰＣＳ５を起動して、太陽光発電装置４から給電経路に電力を供給させることができる。
【００６６】
なお、ステップＳ１４０によりＰＣＳ５を起動した後、ステップＳ１５０においてスイッチ部１０１を投入する際に、ＰＣＳ５から給電経路Ｐ１１及びＮ１１に向けて過渡的に過大な電流が流れる可能性がある場合には、先にスイッチ部１０１を投入し、その後に、ＰＣＳ５の出力電圧を立ち上げるようにしてもよい。例えば、スイッチ部１０１を投入した後に、ＰＣＳ５の出力電圧を緩やかに立ち上げるようにして、過渡的な過大電流が流れることを回避するようにしてもよい。
さらには、直流電源装置３の停電時において、スイッチ部１０１を開放することなく閉状態にしておくことにより、ステップＳ１１５のスイッチ部１０１の開放処理と、ステップＳ１５０のスイッチ部１０１の投入処理とを、省略することも可能である（後述する図７及び図８においても同じ）。
【００６７】
（ＰＣＳ５の起動処理の手順の第１の変形例）
また、図７は、ＰＣＳ５の起動処理の手順の第１の変形例を示すフローチャートである。この図７に示すＰＣＳ５の起動処理の手順は、図６に示すＰＣＳ５の起動処理の手順と比較すると、図６に示すステップＳ１２０の処理を、図７に示すステップＳ１２０Ａの処理に置き換えた点だけが異なり、他の処理ステップは、図６に示す処理手順と同様である。このため、同一の処理内容のステップには同一の符号を付し、重複する説明は省略する。
【００６８】
この図７に示す起動処理の手順では、直流給電システム１において、商用電力系統ＰＳから直流電源装置３に電力を供給することができない停電状態が発生したことを保護継電器２Ｄが検出した場合（ステップＳ１００）、蓄電装置７が放電を開始し、蓄電装置７から給電経路Ｐ１１及びＮ１１に直流電力を供給する（ステップＳ１０５）。また、同時に、電源供給装置６は、ＰＣＳ５の動作を一旦停止させる（ステップＳ１１０）。また、電源供給装置６は、スイッチ部１０１を開放する（ステップＳ１１５）。
続いて、電源供給装置６は、母線電圧検出部６１Ａにより給電経路Ｐ１１及びＮ１１の直流電圧が所定の基準電圧の範囲内（例えば、定格電圧の±１０％以内）であるか否かを判定する（ステップＳ１２０Ａ）。
【００６９】
そして、ステップＳ１２０Ａの処理において、給電経路Ｐ１１及びＮ１１の直流電圧が所定の基準電圧の範囲内であると判定された場合（ステップＳ１２０Ａ：Ｙｅｓ）、電源供給装置６は、ステップＳ１３０の処理に移行する。そして、ステップＳ１３０の処理において、太陽光発電装置４から給電経路に所定値以上の電力を供給できる状態にあると判定された場合に（ステップＳ１３０：Ｙｅｓ）、電源供給装置６は、ステップＳ１４０の処理に移行して、ＰＣＳ５を起動させる。
一方、ステップＳ１２０Ａの処理において、給電経路Ｐ１１及びＮ１１の直流電圧が所定の基準電圧の範囲内でないと判定された場合（ステップＳ１２０Ａ：Ｎｏ）、電源供給装置６は、ステップＳ１１０の処理に戻り、ＰＣＳ５の動作停止状態を継続させる。
【００７０】
つまり、図７に示す起動処理の手順では、蓄電装置７から給電経路Ｐ１１及びＮ１１に直流電圧が出力されている状態において、ＰＣＳ５を起動させる。そして、ＰＣＳ５が、蓄電装置７から給電経路Ｐ１１及びＮ１１に出力されている直流電圧を検出して連系する場合、ＰＣＳ５は、給電経路Ｐ１１及びＮ１１に出力する直流電圧を、蓄電装置７のＰＣＳ８から出力される直流電圧よりも所定分だけ高い電圧（例えば、１％から数％高い電圧）とすることにより、ＰＣＳ５を給電経路Ｐ１１及びＮ１１に自然に連系させることができる。
これにより、直流電源装置３の停電時において、蓄電装置７と太陽光発電装置４とから並列に給電経路Ｐ１１及びＮ１１に電力を供給することができる。
【００７１】
（ＰＣＳ５の起動処理の手順の第２の変形例）
図６及び図７に示した起動処理の手順の例では、商用電力系統ＰＳから直流電源装置３に電力を供給できない停電状態を示す信号（例えば、接点信号Ａｕｘ）を電源供給装置６が検出した場合に、ＰＣＳ５の動作を停止させる例について説明したが、電源供給装置６が、給電母線となる給電経路Ｐ１１及びＮ１１の電圧が所定の電圧値以下に低下したことを検出して、例えば、給電経路Ｐ１１及びＮ１１の直流電圧がゼロ電圧に近い値になったことを検出してＰＣＳ５の動作を停止させるようにしてもよい。
【００７２】
図８は、ＰＣＳ５の起動処理の手順の第２の変形例を示すフローチャートである。
この図８に示すＰＣＳ５の起動処理の手順は、図７に示すＰＣＳ５の起動処理の手順と比較すると、図７に示す手順からステップＳ１０５の処理を省略して、ステップＳ１０５ＡとステップＳ１１５Ａの処理とを新たに追加した点が異なり、他の処理は、図７に示す処理手順と同様である。このため、同一の処理内容のステップには同一の符号を付し、重複する説明は省略する。
【００７３】
この図８に示す起動処理の手順では、直流給電システム１において、商用電力系統ＰＳから直流電源装置３に電力を供給することができない停電状態が発生したことを保護継電器２Ｄが検出した場合（ステップＳ１００）、遮断器２Ａを開放させるが、この時点では、蓄電装置７から給電経路Ｐ１１及びＮ１１に直流電力を供給しない。
続いて、電源供給装置６は、母線電圧検出部６１Ａにより、直流電源装置３の停電により給電母線となる給電経路Ｐ１１及びＮ１１の直流電圧が所定の電圧値以下（例えば、ゼロ電圧に近い値）に低下したか否かを判定する（ステップＳ１０５Ａ）。そして、給電経路Ｐ１１及びＮ１１の直流電圧が所定の電圧値以下に低下したと判定された場合に（ステップＳ１０５Ａ：Ｙｅｓ）、電源供給装置６は、ＰＣＳ５の動作を一旦停止させるととともに（ステップＳ１１０）、スイッチ部１０１を開放する（ステップＳ１１５）。
続いて、電源供給装置６は、ＰＣＳ８を制御して、蓄電装置７から給電経路Ｐ１１及びＮ１１への電力の供給を開始させる（ステップＳ１１５Ａ）。
【００７４】
その後の処理の手順は、図７に示すステップＳ１２０ＡからステップＳ１５０の処理の手順と同様である。
これにより、直流電源装置３の停電時において、電源供給装置６は、給電母線となる給電経路Ｐ１１及びＮ１１の直流電圧を検出して、ＰＣＳ５の動作を停止させることができる。なお、ＰＣＳ５自身が、給電経路Ｐ１１及びＮ１１の電圧が低下したことを検出して、ＰＣＳ５が自分で動作を停止するようにしてもよい。
【００７５】
（コントロールパネル６４についての説明）
次に、コントロールパネル６４について説明する。コントロールパネル６４（設定入力部）は、スイッチ部１００の開閉状態（オン／オフ状態）を設定する操作を検出して、検出した操作に応じてスイッチ制御部６２を制御するとともに、スイッチ部１００の開閉状態を表示する。このコントロールパネル６４は、例えば、タッチパネル式の表示装置を含めて構成することができる。
【００７６】
図９は、コントロールパネル６４の一例を示す説明図である。この図９に示す例は、タッチパネル式の表示画面上に、「直流給電システム１の単線結線図の表示画面６４１」と、操作を検出する位置を示す「スイッチ選択ボタン６４２」、「投入ボタン６４３」、及び「開放ボタン６４４」と、を配置した場合を示す。
【００７７】
なお、図９に示す「直流給電システム１の単線結線図の表示画面６４１」では、直流給電システム１内の全ての負荷装置Ｌ１１からＬ１６を表示しているが、この表示画面６４１には、直流電源装置３の停電時において太陽光発電装置４から電力を供給することが必要な負荷装置のみを選択して表示するようにしてもよい。
【００７８】
例えば、この単線結線図の表示画面６４１において、スイッチ部１００の状態を、当該スイッチ部を破線で囲む領域の色で示す。例えば、スイッチ部１００が開放状態にある場合は「緑色」で表示し、スイッチ部１００が閉状態にある場合は「赤色」で表示する。
【００７９】
そして、例えば、「ＳＷ１１１」で示す開放状態にあるスイッチ部１１１を投入する場合、ユーザは、スイッチ選択ボタン６４２を操作し、その後に、単線結線図の表示画面６４１上でスイッチ部１１１の破線で囲まれる領域を操作する。このスイッチ部１１１を示す領域を操作することにより、コントロールパネル６４は、スイッチ部１１１を示す領域の点滅表示を開始させる。このスイッチ部１１１を示す領域が点滅表示されている状態において、投入ボタン６４３を操作することにより、コントロールパネル６４は、上記の一連の操作に応じてスイッチ制御部６２を介してスイッチ部１１１を投入させて閉状態にする。さらに、コントロールパネル６４は、スイッチ部１１１の表示の色を「緑色」から「赤色」に変える。
【００８０】
また、閉状態にあるスイッチ部１１１を開放状態にする場合、スイッチ選択ボタン６４２を操作し、その後に、単線結線図の表示画面６４１上でスイッチ部１１１の破線で囲まれる領域を操作する。このスイッチ部１１１を示す領域を操作することにより、コントロールパネル６４は、スイッチ部１１１の点滅表示を開始させる。このスイッチ部１１１を示す領域が点滅表示されている状態において、開放ボタン６４４を操作することにより、コントロールパネル６４は、上記の一連の操作に応じてスイッチ制御部６２を介してスイッチ部１１１を開放させる。さらに、コントロールパネル６４は、スイッチ部１１１の表示の色を「赤色」から「緑色」に変える。他のスイッチ部１００についても同様である。
【００８１】
なお、スイッチ選択ボタン６４２を操作してスイッチ部１００を指定する場合、スイッチ部１１１部とスイッチ部１１２とを同時に指定するなど、複数のスイッチ部１００を同時に指定することもできる。
【００８２】
（スイッチ部の制御回路の構成）
また、図１０は、スイッチ部の制御回路の構成例を示す構成図である。この図１０に示すように、スイッチ部１００には、スイッチ制御信号受信部７１と、スイッチ開閉部７２と、開閉結果通知部７３と、スイッチ７４と、電源部７５とが設けられている。
【００８３】
スイッチ制御信号受信部７１は、電源供給装置６内のスイッチ制御部６２からスイッチ制御信号ＣＮＴを受信する。
スイッチ開閉部７２は、スイッチ制御信号受信部７１により受信したスイッチ制御信号ＣＮＴに基づき、自身が「スイッチの識別情報」で指定されたスイッチであるか否かを判定する。そして、スイッチ開閉部７２は、自身が「スイッチの識別情報」で指定されたスイッチであると判定した場合に、「スイッチのオン／オフ情報」に基づき、スイッチ７４をオン／オフ（投入又は開放）させる。つまり、スイッチ開閉部７２は、スイッチ７４の開閉動作を行う。
【００８４】
そして、スイッチ７４をオン／オフした場合、開閉結果通知部７３は、スイッチ７４をオン／オフした動作結果の情報を電源供給装置６のスイッチ制御部６２に送信する。動作結果の情報を受けたスイッチ制御部６２は、開閉結果通知部７３から受信したスイッチ７４のオン／オフの動作結果の情報を基にして、当該スイッチ７４の開閉状態をコントロールパネル６４上に表示させる。
【００８５】
電源部７５は、スイッチ制御信号受信部７１と、スイッチ開閉部７２と、開閉結果通知部７３のそれぞれに電源を供給する。なお、電源部７５は、スイッチ制御信号受信部７１と、スイッチ開閉部７２と、開閉結果通知部７３とを機能させる電力を蓄積しておいてもよい。
これにより、ユーザは、コントロールパネル６４により、給電経路上のスイッチ７４の開閉を指示できるととともに、その開閉結果をコントロールパネル６４上に表示して確認することができる。
【００８６】
（優先順位に基づく電力供給処理）
次に、図１１を参照して、直流給電システムにおける負荷装置の優先順位に基づく電力供給処理について説明する。
図１１は、直流給電システムにおける負荷装置の優先順位に基づく電力供給処理の手順を示すフローチャートである。この図１１では、直流電源装置３が停電状態になり、かつ蓄電装置７から電力の供給ができなくなった状態からの処理を示す。
【００８７】
まず、ＰＣＳ起動部６１は、ＰＣＳ５に動作電圧を供給して、ＰＣＳ５を起動させる（ステップＳ２１０）。続いて、コントロールパネル６４は、スイッチ制御部６２を制御して、スイッチ部１０１を投入する（ステップＳ２２０）。
【００８８】
続いて、スイッチ制御部６２は、優先順位保持部６３から負荷装置Ｌ１１からＬ１６についての優先順位の情報を入力する（ステップＳ２３０）。
続いて、スイッチ制御部６２は、現在の太陽光発電装置４の電力の供給能力と、負荷装置Ｌ１１からＬ１６についての優先順位の情報と、に基づいて、太陽光発電装置４から電力を供給する負荷装置とその給電経路とを判定する（ステップＳ２４０）。
続いて、スイッチ制御部６２は、太陽光発電装置４から電力を供給する判定された負荷装置について、第１位の優先順位の負荷装置から順番に電力が供給されるように、スイッチ部１００にスイッチ制御信号ＣＮＴを送信して、スイッチ部１００内のスイッチ７４を投入させる（ステップＳ２５０）。
例えば、負荷装置Ｌ１１に電力を供給する場合、スイッチ制御部６２は、スイッチ部１１１を投入させるように、スイッチ制御信号ＣＮＴをスイッチ部１１１に送信し、スイッチ部１１１内のスイッチ７４を投入させる。また、例えば、負荷装置Ｌ１１とＬ１２に電力を供給する場合、スイッチ制御部６２は、スイッチ部１１１と、スイッチ部１１２とを順番に投入するように、スイッチ部１１１とスイッチ部１１２とにスイッチ制御信号ＣＮＴを順に送信し、スイッチ部１１１とスイッチ部１１２内のスイッチ７４を順に投入させる。
【００８９】
続いて、スイッチ制御信号ＣＮＴが自身を対象とすると判定したスイッチ部１００は、自身のスイッチ７４を投入するとともに、その結果をスイッチ制御部６２に通知する（ステップＳ２６０）。
続いて、スイッチ制御部６２は、スイッチ部１００から受けた通知に応じて、コントロールパネル６４にその通知に含まれたスイッチ部１００の開閉状態を表示させる。コントロールパネル６４は、スイッチ部１００の開閉状態をコントロールパネル６４の表示画面６４１上に表示する（ステップＳ２７０）。そして、このステップＳ２７０の処理を実行した後に、電源供給装置６は、この電力供給処理を終える。
以上の電力供給処理により、太陽光発電装置４から電力を供給する負荷装置について、優先順位の高い負荷装置から順番に、該負荷装置が接続される給電範囲を設定して電力を供給することができる。
【００９０】
（コントロールパネル６４による電力供給処理）
また、図１２は、直流給電システムにおけるコントロールパネル６４による電力供給処理の手順を示すフローチャートである。この図１２では、直流電源装置３が停電状態になり、かつ蓄電装置７から電力の供給ができなくなり、太陽光発電装置４から優先順位の高い負荷装置に電力が供給されている状態からの処理を示す。
【００９１】
まず、コントロールパネル６４は、ユーザの指示を検出し、検出した指示に応じて、電力の供給を必要とする負荷装置があることを検出する（ステップＳ３１０）。
続いて、コントロールパネル６４は、検出した操作に応じたスイッチ部１００（より正確には、スイッチ部１００内のスイッチ７４）を投入又は開放させるようにスイッチ制御部６２を制御する（ステップＳ３２０）。
【００９２】
続いて、スイッチ制御信号ＣＮＴが自身を対象とすると判定したスイッチ部１００は、自身のスイッチ７４を投入又は開放するとともに、その結果をスイッチ制御部６２に通知する（ステップＳ３３０）。
続いて、スイッチ制御部６２は、スイッチ部１００から受けた通知に応じて、コントロールパネル６４にその通知に含まれたスイッチ部１００の状態を表示させる。コントロールパネル６４は、スイッチ部１００の状態をコントロールパネル６４の表示画面６４１上に表示する（ステップＳ３４０）。このステップＳ３４０の処理を実行した後に、電源供給装置６は、この電力供給処理を終える。
【００９３】
このように、ユーザは、コントロールパネル６４上で、給電経路Ｐ１１及びＮ１１から給電経路Ｐ２８及びＮ２８に配置されたスイッチ部１１１からスイッチ部１１６の開閉を指示することにより、太陽光発電装置４から電力を供給しようとする給電経路の範囲を設定することができる。
【００９４】
（負荷装置の優先順位をエリアごとに設定する例）
上述した直流給電システム１の例では、負荷装置Ｌ１１からＬ１６についての時間帯ごとの優先順位を、予め優先順位テーブル６３１に保持し、この優先順位テーブル６３１に保持された時間帯ごとの優先順位の情報に基づいて、太陽光発電装置４から電力を供給する負荷装置を決めている。この負荷装置の優先順位の決め方については、他の方法を用いることもできる。
【００９５】
例えば、優先順位テーブルを、ビル等の建物内のエリア或いは部屋ごとに用意することができる。つまり、各エリア或いは部屋に設備される負荷装置のそれぞれについて優先順位を予め定めておき、この優先順位に従い太陽光発電装置４から負荷装置に電力を供給するようにしてもよい。
図１３は、負荷装置の優先順位をエリアごとに設定する例を示す説明図である。この図１３に示す直流給電システム１Ａにおいては、直流電源装置３から電力を供給される給電経路を単線接線図で示しており、２つのエリアＡ１及びＡ２内の各負荷装置に、主幹の給電経路Ｐ１１及びＮ１１から電力が供給される例である。
【００９６】
図１３において、第１エリアＡ１は、負荷装置Ｌ１１からＬ１６と、スイッチ部１１１から１１６とを含み、分電盤（ＰＤＦ）１１を介して、給電経路Ｐ１１及びＮ１１から電力が供給される。第２エリアＡ２は、負荷装置Ｌ２１からＬ２３と、スイッチ部１２１から１２３とを含み、分電盤（ＰＤＦ）１２を介して、給電経路Ｐ１１及びＮ１１から電力が供給される。なお、第１エリアＡ１の構成は、図１に示す負荷装置Ｌ１１からＬ１６と、スイッチ部１１１から１１６と、からなる構成とを同じであり、重複する説明は省略する。
【００９７】
第２エリアＡ２では、分電盤（ＰＤＦ）１２により、給電経路Ｐ３１及びＮ３１が、給電経路Ｐ１１及びＮ１１から分岐される。そして、給電経路Ｐ１１及びＮ１１には、スイッチ部１２１を介して負荷装置Ｌ２１が接続され、スイッチ部１２２を介して負荷装置Ｌ２２が接続され、また、スイッチ部１２３を介して負荷装置Ｌ２３が接続される。
【００９８】
上記構成の直流給電システム１Ａにおいて、例えば、図１４に示す優先順位テーブル６３２を用いる。この優先順位テーブル６３２では、第１エリアＡ１及び第２エリアＡ２内のそれぞれの負荷装置について優先順位が設定される。
この図１４に示す例では、第１エリアＡ１において、負荷装置Ｌ１１（照明装置）が第１位の優先順位に、負荷装置Ｌ１３（換気装置）が第２位の優先順位に、負荷装置Ｌ１２（空調装置）が第３位の優先順位に設定されている。
また、第２エリアＡ２において、負荷装置Ｌ２１（照明装置）が第１位の優先順位に、負荷装置Ｌ２３（換気装置）が第２位の優先順位に、負荷装置Ｌ２２（空調装置）が第３位の優先順位に設定されている。
そして、直流電源装置３の停電時において、太陽光発電装置４から負荷装置に電力を供給する際には、スイッチ制御部６２は、最初に、第１エリアＡ１の第１優先順位の負荷装置Ｌ１１（照明装置）と、第２エリアＡ２の第１優先順位の負荷装置Ｌ２１（照明装置）との順に給電を行うように給電範囲を設定する。
【００９９】
そして、第１優先順位の負荷装置Ｌ１１及びＬ２１への電力の供給を開始した後、太陽光発電装置４の給電能力に負荷装置Ｌ１３と負荷装置Ｌ２３に電力を供給するだけの余力がある場合は、次に、第１エリアＡ１の第２優先順位の負荷装置Ｌ１３（換気装置）と、第２エリアＡ２の第２優先順位の負荷装置Ｌ２３（換気装置）との順に給電を行う。そして、さらに太陽光発電装置４の給電能力に次の優先順位の負荷装置に電力を供給するだけの余力がある場合は、さらに下位の優先順位の負荷装置に対して給電を行う。
このように、ビル等の建物内の各エリアに設備される負荷装置のそれぞれについての優先順位を予め定めておき、この優先順位に従い負荷装置に電力を供給することができる。
【０１００】
（負荷装置の優先順位を人の動線により設定する例）
また、負荷装置の優先順位は、直流電源装置３の停電時において人が移動する際の動線（移動ルート）を考慮して、この人の動線に基づいて、負荷装置の優先順位を定めることもできる。また、この場合は、コントロールパネル６４上に、上記人の動線に基づいて設定された電力の供給範囲を表示してもよい。
図１５は、太陽光発電装置の停電時の人の動線の例を示す説明図である。この図１５において、直流給電システム１Ａの構成は、図１３に示す直流給電システム１Ａと同じであり、この直流給電システム１Ａの構成についての重複する説明は省略する。
【０１０１】
この図１５に示すように、直流給電システム１Ａにおいて、直流電源装置３の停電時における人の動線ＤＬを予め設定しておく。そして、この動線ＤＬに沿った範囲の負荷装置に高い優先順位を与えるようにする。この図１５に示す例では、動線ＤＬの付近に設備される負荷装置、つまり、第２エリアＡ２の負荷装置Ｌ２１と、第１エリアＡ１の負荷装置Ｌ１１と、第１エリアＡ１の負荷装置Ｌ１３と、に高い優先順位を与える。
【０１０２】
図１６は、人の動線を考慮して設定される優先順位テーブルの例を示す説明図である。この図１６に示す優先順位テーブル６３３では、図１５に示す動線ＤＬに沿った範囲の負荷装置に高い優先順位が設定されている。
つまり、人の動線ＤＬの進行方向に沿って、第２エリアＡ２の負荷装置Ｌ２１（照明装置）を第１位の優先順位の負荷装置とし、第１エリアＡ１の負荷装置Ｌ１１（照明装置）を第２位の優先順位の負荷装置とし、第１エリアＡ１の負荷装置Ｌ１３（換気装置）を第３位の優先順位の負荷装置としている。
【０１０３】
そして、人の動線ＤＬに応じて設定された負荷装置Ｌ２１，Ｌ１１及びＬ１３に電力が供給されると、この負荷装置Ｌ２１，Ｌ１１及びＬ１３に電力が供給されたことをコントロールパネル６４に表示する。例えば、図１５に示す直流給電システム１Ａの給電系統図をコントロールパネル６４に表示し、負荷装置Ｌ２１，Ｌ１１及びＬ１３の領域（実線で囲んだ領域）を赤色で表示する。また、動線ＤＬの表示も行う。
これにより、直流電源装置３の停電時において、人が安全に、かつ不便が生じることなく移動できるように、照明等の負荷装置を優先して、太陽光発電装置４から電力を供給することができる。また、動線ＤＬや負荷装置への給電状況をコントロールパネル６４に表示することにより、ユーザが、電力が供給されている範囲を確認することができる。
【０１０４】
（給電範囲を示して人を誘導する例）
上述の図１５で説明したように、給電系統図をコントロールパネル６４に表示し、この表示画面上に、人の移動ルートとなる動線ＤＬを表示するとともに、この動線ＤＬに応じて電力が供給される負荷装置を表示することができる。しかしながら、この表示方法では、ユーザが具体的な移動ルートを直感的に把握し辛い面がある。
そこで、ユーザが給電範囲と移動ルートとを容易に把握できるととともに、ユーザを移動ルートに効果的に誘導できる表示例について説明する。
【０１０５】
図１７は、給電範囲と移動ルートを示してユーザを誘導する表示画面の例を示す説明図である。この図１７に示す表示画面２００は、３階建てのビルの例を示し、このビルは、１Ｆ（１階）に、オフイスルーム等のエリアＡ１１、Ａ１２、及びＡ１３が配置され、２Ｆ（２階）に、エリアＡ２１、Ａ２２及びＡ２３が配置され、３Ｆ（３階）に、エリアＡ３１及びＡ３２が配置されている。また、説明を簡単にするために、各エリアには、負荷装置として照明装置ＬＴと、空調装置ＣＯＮだけが設備されているものとする。また、太陽光発電装置４には、照明装置ＬＴに電力を供給する給電経路２０１Ａと、空調装置ＣＯＮに電力を供給する給電経路２０１Ｂが接続されており、太陽光発電装置４は、自身の発電量と負荷装置の優先順位とに応じて、給電経路２０１Ａ及び給電経路２０１Ｂの何れか又は両方に電力を供給するものとする。
なお、分電盤やスイッチ部等の配置と動作状態は、ユーザが移動するに際しては必要のない情報であるため表示が省略されている。
【０１０６】
そして、給電経路２０１Ａは、３Ｆで分岐されて給電経路２３０Ａとなり、２Ｆで分岐されて給電経路２２０Ａとなり、１階で分岐されて給電経路２１０Ａとなる。同じく、給電経路２０１Ｂは、３Ｆで分岐されて給電経路２３０Ｂとなり、２Ｆで分岐されて給電経路２２０Ｂとなり、１階で分岐されて給電経路２１０Ｂとなる。
また、１Ｆにおいて、給電経路２１０Ａは、給電経路２１１Ａと、給電経路２１２Ａと、給電経路２１３Ａとにそれぞれ分岐され、給電経路２１１Ａは、エリアＡ１１の照明装置ＬＴに接続され、給電経路２１２Ａは、エリアＡ１２の照明装置ＬＴに接続され、給電経路２１３Ａは、エリアＡ１３の照明装置ＬＴに接続されている。また、１Ｆにおいて、給電経路２１０Ｂは、給電経路２１１Ｂと、給電経路２１２Ｂと、給電経路２１３Ｂとにそれぞれ分岐され、給電経路２１１Ｂは、エリアＡ１１の空調装置ＣＯＮに接続され、給電経路２１２Ｂは、エリアＡ１２の空調装置ＣＯＮに接続され、給電経路２１３Ｂは、エリアＡ１３の空調装置ＣＯＮに接続されている。２Ｆ及び３Ｆについても同様である。
【０１０７】
そして、今ここで、直流電源装置３が停電し、スイッチ制御部６２がスイッチ部１００の開閉状態を制御することにより、太陽光発電装置４から「１ＦのエリアＡ１２」の照明装置ＬＴのみに電力が供給されるものとする。
このような状態において、コントロールパネル６４は、表示画面２００において、エリアＡ１２の囲みの部分を、例えば、「緑色」で表示し、また、電力が供給される照明装置ＬＴを、例えば、「橙色」で表示する。また、このエリアＡ１２の給電経路２１２Ａから給電経路２０１Ａに繋がる給電経路ルートと、給電経路２０１Ａとを、例えば、「青色」で表示する。つまり、図で示す、給電経路において、ハッチして示された部分を、給電範囲として表示する。なお、給電経路において、給電されていない部分は、例えば、「灰色」で表示する。
これにより、表示画面２００を見たユーザは、太陽光発電装置４から電力が供給されているエリアと、電力が供給されている負荷装置とを一見して把握することができる。
【０１０８】
さらに、この表示画面２００には、各エリア及び階段ごとに対応する誘導表示部２６１から２７２が表示されている。この誘導表示部２６１から２７２は、矢印の向きが、図面上で上下左右のいずれかの方向になるように、コントロールパネル６４により制御される。図１７に示す例では、誘導表示部２６１から２７２の全てが、電力が供給されている「１ＦのエリアＡ１２」に向かう移動ルートの方向を示すように表示されている。
【０１０９】
例えば、「３ＦのエリアＡ３２」から「１ＦのエリアＡ１２」に向かう移動ルートにおいて、誘導表示部２６１及び２６２が、「３Ｆの通路２４３」から「３Ｆと２Ｆとの間の階段２５１」に向かう方向に表示され、この階段２５１において、誘導表示部２６３及び２６４が階段を下る方向に表示され、また、２Ｆと１Ｆとの間の階段２５２において、誘導表示部２６５及び２６６が階段を下る方向に表示される。そして、１Ｆ通路２４１の誘導表示部２６７が、「１ＦのエリアＡ１２」に向かう方向に表示され、誘導表示部２６８が「１ＦのエリアＡ１２」を指し示す方向に表示される。２Ｆ通路２４２の誘導表示部２７０から２７２についても、当該誘導表示部の位置から「１ＦのエリアＡ１２」に向かう移動ルートの方向を示すように表示される。
これにより、ユーザは、誘導表示部２６１から２７２を見ることにより、現在の所在位置から電力が供給されているエリアまでの移動ルートを容易に知ることができる。このように、表示画面２００上に誘導表示部２６１から２７２を表示することにより、ユーザを、電力が供給されているエリアまで的確に誘導することができる。
【０１１０】
［第２実施形態］
上述した第１実施形態では、負荷装置の優先順位を予め優先順位テーブルに設定しておき、スイッチ制御部６２が、優先順位テーブルを参照して、給電を行う負荷装置を選択する例を示したが、負荷装置の優先順位は、建物内における人の移動ルートに応じて動的に設定することもできる。
例えば、ユーザが、コントロールパネル６４上で出発地と目的地を指定することにより、電源供給装置６において、推奨する人の移動ルートを推定し、この移動ルートに沿った範囲にある負荷装置に高い優先順位を与えるようにする。
【０１１１】
つまり、負荷装置の優先順位を定める際に、電源供給装置６は、ユーザが、コントロールパネル６４上で、出発地と目的地とを指定できるようにし、ユーザが目的地を指定すると、現在の位置から目的地までの推奨する移動ルートをコントロールパネル６４に表示する。そして、電源供給装置６は、太陽光発電装置４から負荷装置に電力を供給する際に、この移動ルートの範囲と目的地の範囲とに設備された負荷装置に優先的に電力を供給する。
【０１１２】
例えば、図１８は、出発地と目的地の設定画面の例を示す説明図である。この図１８に示した例では、表示画面６５１上に、出発地設定部６５２と、目的地設定部６５３と、ルート設定ボタン６５４と、確定ボタン６５５とが配置されている。
【０１１３】
出発地設定部６５２は、出発地を設定するための操作部であり、各出発地を指定するためのボタンが縦方向に配列されている。目的地設定部６５３は、目的地を設定するための操作部であり、各目的地を指定するためのボタンが縦方向に配列されている。ルート設定ボタン６５４は、出発地と目的地を設定する処理を開始するためのボタンである。確定ボタン６５５は、ユーザが選択した出発地と目的地とを確定するためのボタンである。
【０１１４】
そして、この表示画面６５１上で、ユーザは、まず、最初に、ルート設定ボタン６５４を操作する。このルート設定ボタン６５４を操作することにより、出発地設定部６５２における出発地の設定が可能になるとともに、目的地設定部６５３における目的地の設定が可能になる。つまり、コントロールパネル６４は、ルート設定ボタン６５４の操作を検出することにより、出発地設定部６５２における出発地を設定する処理と、目的地設定部６５３における目的地を設定する処理とを実施する。
【０１１５】
例えば、ユーザが、出発地設定部６５２において「２Ｆ（２階）  エリアＡ２１」のボタンを操作すると、コントロールパネル６４は、当該「２Ｆ  エリアＡ２１」の囲みの部分を緑色で表示する。続いて、ユーザが、「目的地設定部６５３」において「１Ｆ（１階）  ロビー」のボタンを操作すると、コントロールパネル６４は、当該「１Ｆ  ロビー」の囲みの部分を緑色で表示する。
そして、ユーザによる確定ボタン６５５の操作を検出することにより、コントロールパネル６４は、「出発地」と「目的地」とを確定させる。上記一連の操作により、出発地と目的地とが確定すると、出発地と目的地との情報から推奨される移動ルートを推定する処理が行われ、コントロールパネル６４は、出発地と目的地とに応じて推奨される移動ルートの画面を表示する。例えば、コントロールパネル６４は、図１９に示す表示画面６６１をポップアップ表示で表示する。
【０１１６】
図１９は、移動ルートの表示画面の例を示す説明図であり、出発地として「２Ｆ  エリアＡ２２」が設定され、目的地として「１Ｆ  ロビー」が設定された例である。
この図１９に示すように、表示画面６６１上に、出発地となる「２Ｆ  エリアＡ２２」のレイアウト画面６６２と、目的地となる「１Ｆ  ロビー」のレイアウト画面６６３が表示され、さらに、このレイアウト画面上に、破線で示す推奨される移動ルートＲ１が表示される。
この移動ルートＲ１は、直流電源装置３の停電時において、出発地となる「２Ｆ  エリアＡ２２」から、「目的地」となる「１Ｆ  ロビー」に移動する際に推奨される移動ルートを示している。より具体的には、この移動ルートＲ１は、「２Ｆ  エリアＡ２２」の出入口６７１から出発して、２Ｆのエレベータ（ＥＶ）６７２の前の通路６７３を図に示す点線に沿って移動して階段６７４に到達し、次に、階段６７４を下り、この階段６７４を下って、１Ｆの通路６７５を通って、「１Ｆのロビー６７６」に到達するルートを示している。
【０１１７】
なお、表示画面６６１の下方に配置された「戻るボタン６６４」は、この図１９に示す画面から、図１８に示す「出発地と目的地の設定画面」６５１に戻るための操作ボタンである。ユーザは、この「戻るボタン６６４」を操作することにより、「出発地と目的地の設定画面」６５１に戻り、新たな出発地と目的地の設定を行うことができる。また、「確定ボタン６６５」は、ユーザが、図１９に表示された移動ルートＲ１を受け入れる場合に、この「確定ボタン６６５」を操作することにより、移動ルートＲ１が確定する。つまり、コントロールパネル６４は、「確定ボタン６６５」の操作を検出することにより、推定した移動ルートＲ１を確定する処理を実施する。
なお、図１９に示す例は、一例であって、例えば、複数の移動ルートを表示して、ユーザが、複数の移動ルートの中から希望する移動ルートを選択できるようにしてもよい。
【０１１８】
そして、移動ルートＲ１が、図１９に示すように設定されると、図２０に示す優先順位テーブル６３４が生成されて、優先順位保持部６３に保持される。
図２０は、人の動線を考慮して設定される優先順位テーブルの例を示す説明図である。
この図２０に示す例では、移動ルートＲ１に沿って、２Ｆ（フロア）の通路６７３の照明装置が第１位の優先順位の負荷装置となり、階段６７４の照明装置が第２位の負荷装置となり、１Ｆ通路６７５の照明装置が第３位の負荷装置となり、１Ｆロビー６７６の照明装置が第４位の負荷装置となり、１Ｆロビー６７６の換気装置が第５位の負荷装置となる例である。
【０１１９】
そして、スイッチ制御部６２は、太陽光発電装置４から給電経路に電力を供給する際に、図２０に示す優先順位テーブル６３４を参照して、優先順位の高い負荷装置から順に電力が供給されるように、スイッチ部１００の開閉状態を制御して給電経路における給電範囲を設定する。
【０１２０】
（給電範囲と移動ルートを示して人を誘導する例）
図１９に示す表示例では、ビル内のレイアウト画面上に人の移動ルートＲ１となる動線を表示する例を示したが、ビル内のレイアウト画面上に人の移動ルートと給電範囲とを併せて表示することもできる。
図２１は、給電範囲と移動ルートを示してユーザを誘導する表示画面の例を示す説明図である。
この図２１に示す表示画面２００Ａは、２階建てのビルの例を示し、１Ｆ（１階）及び２Ｆ（２階）のレイアウトは、図１９に示したレイアウトと基本的に同じである。また、この図２１では、給電経路を示すために、１Ｆのレイアウトと２Ｆのレイアウトとを上下の階層に分けて表示している。この表示画面２００Ａにおいて、１Ｆには、オフイスルーム等のエリアＡ１１と、エリアＡ１２と、ロビー６７６とが配置され、２Ｆには、オフイスルーム等のエリアＡ２１と、エリアＡ２２とが配置されている。また、説明を簡単にするために、各エリアには、負荷装置として照明装置ＬＴと、空調装置ＣＯＮだけが設備されているものとする。
【０１２１】
また、太陽光発電装置４には、照明装置ＬＴに電力を供給する給電経路２０１Ａと、空調装置ＣＯＮに電力を供給する給電経路２０１Ｂが接続されており、太陽光発電装置４は、自身の発電量と負荷装置の優先順位とに応じて、給電経路２０１Ａ及び２０１Ｂの何れか又は両方に電力を供給するものとする。なお、分電盤やスイッチ部等の配置と動作状態の表示は、ユーザが移動するに際しては必要のない情報であるため表示が省略されている。
そして、給電経路２０１Ａは、２Ｆで分岐されて給電経路２２０Ａとなり、１階で分岐されて給電経路２１０Ａとなる。同じく、給電経路２０１Ｂは、２Ｆで分岐されて給電経路２２０Ｂとなり、１階で分岐されて給電経路２１０Ｂとなる。
【０１２２】
そして、２Ｆにおいて、給電経路２２０Ａは、給電経路２２１Ａと、給電経路２２２Ａとにそれぞれ分岐され、給電経路２２１Ａは、エリアＡ２１の照明装置ＬＴに接続され、給電経路２２２Ａは、エリアＡ２２の照明装置ＬＴに接続されている。また、２Ｆにおいて、給電経路２２０Ｂは、給電経路２２１Ｂと、給電経路２２２Ｂとにそれぞれ分岐され、給電経路２２１Ｂは、エリアＡ２１の空調装置ＣＯＮに接続され、給電経路２２２Ｂは、エリアＡ２２の空調装置ＣＯＮに接続されている。
また、２Ｆにおいて、給電経路２０１Ａは、給電経路２２０Ｃに分岐され、この給電経路２２０Ｃは、２Ｆ通路６７３に設備された照明装置（ＬＴ）７０１及び７０２に接続されるとともに、１Ｆと２Ｆ間の階段６７４に設備された照明装置（ＬＴ）７０３に接続される。
【０１２３】
また、１Ｆにおいて、給電経路２１０Ａは、給電経路２１１Ａと、給電経路２１２Ａと、給電経路２１３Ａとにそれぞれ分岐され、給電経路２１１Ａは、エリアＡ１１の照明装置ＬＴに接続され、給電経路２１２Ａは、エリアＡ１２の照明装置ＬＴに接続され、給電経路２１３Ａは、ロビー６７６の照明装置（ＬＴ）７０６に接続されている。
また、１Ｆにおいて、給電経路２１０Ｂは、給電経路２１１Ｂと、給電経路２１２Ｂと、給電経路２１３Ｂとにそれぞれ分岐され、給電経路２１１Ｂは、エリアＡ１１の空調装置ＣＯＮに接続され、給電経路２１２Ｂは、エリアＡ１２の空調装置ＣＯＮに接続され、給電経路２１３Ｂは、ロビー６７６の空調装置ＣＯＮに接続されている。
また、１Ｆにおいて、給電経路２０１Ａは、給電経路２１０Ｃに分岐され、この給電経路２１０Ｃは、１Ｆ通路６７３に設備された照明装置（ＬＴ）７０４及び７０５に接続されている。
【０１２４】
そして、今ここで、図１８に示す「出発地と目的地の設定画面」で、出発地として「２Ｆ  エリアＡ２２」が指定され、目的地として「１Ｆ  ロビー」が設定されたものとする。また、太陽光発電装置４から、各階の通路及び階段の照明装置と、「１Ｆ  ロビー」の照明装置とにだけ電力が供給されるものとする。
これにより、「２Ｆ  エリアＡ２２」から「１Ｆ  ロビー」に向かう移動ルートＲ１が設定され、この移動ルートＲ１に沿って、２Ｆ通路６７３に設備される照明装置（ＬＴ）７０１及び７０２と、階段６７４に設備される照明装置（ＬＴ）７０３と、１Ｆ通路６７５に設備される照明装置（ＬＴ）７０４及び７０５と、１Ｆロビーに設備される照明装置（ＬＴ）７０６と、に電力が供給される。
【０１２５】
このような給電状況において、コントロールパネル６４は、電力が供給される照明装置（ＬＴ）７０１から７０６を、例えば、「橙色」で表示する。また、太陽光発電装置４の給電経路２０１Ａを、例えば、「青色」で表示し、また、この給電経路２０１Ａと照明装置（ＬＴ）７０１から７０６とを結ぶ給電経路を、「青色」で表示する。この図２１では、電力が供給されている給電経路をハッチを施した部分で示しており、このハッチを施した部分が、給電範囲であることを示す「青色」で表示される。
これにより、表示画面２００Ａを見たユーザは、太陽光発電装置４から電力が供給されているエリアと、電力が供給されている負荷装置とを一見して把握することができる。
【０１２６】
また、この表示画面２００Ａには、各エリア及び階段ごとに対応する誘導表示部２９１から２９６が表示される。この誘導表示部２９１から２９６は、矢印の向きが、図面上で上下左右のいずれかの方向になるように、コントロールパネル６４により制御され、図２１に示す例では、誘導表示部２９１から２９６の全てが、現在位置から電力が供給されている「１Ｆのロビー」に向かう移動ルートＲ１を示すように表示される。
【０１２７】
例えば、２Ｆ通路６７３において、誘導表示部２９１及び２９２が、「２Ｆ通路６７３」から「２Ｆと１Ｆとの間の階段６７４」に向かう方向に表示され、この階段６７４において、誘導表示部２９３及び２９４が階段を下る方向に表示される。また、１Ｆ通路６７５において、誘導表示部２９５及び２９６が、「１Ｆ通路」から「１Ｆロビー」に向かう方向に表示される。
このように、表示画面２００Ａ上に誘導表示部２９１から２９６を表示することにより、ユーザを、現在居る位置から電力が供給されているエリアまで誘導することができる。なお、この図２１に示す例では、説明を簡単にするために、２階建てビルの場合の例を示したが、勿論、１階建て又は３階建て以上のビルであってもよい。
【０１２８】
また、図２２は、本発明の第２実施形態に係る直流給電システム１Ｂの構成を示す構成図である。この図２２に示す直流給電システム１Ｂは、図１に示す直流給電システム１と比較して、電源供給装置６Ａの構成だけが異なる。
この図２２に示す電源供給装置６Ａは、図３に示す電源供給装置６と比較して、推奨ルート設定部６６を新たに追加した点が異なり、他の構成は、図３に示す電源供給装置６と同様である。このため、同一の構成部分には同一の符号を付し、重複する説明は省略する。
【０１２９】
この推奨ルート設定部６６は、直流給電システム１が設備された建物ついての情報が記録された建物データベース（建物ＤＢ）６６Ａを含んでいる。この建物データベース６６Ａには、当該建物のレイアウト情報、電源設備情報、負荷装置情報、及び給電経路の系統情報などの情報を保持している。当該建物のレイアウト情報は、例えば、当該建物のＣＡＤ情報であってもよい。
そして、図１８に示す「出発地と目的地の設定画面」において出発地と目的地とが設定された場合、推奨ルート設定部６６は、上記の建物データベース６６Ａを参照し、出発地から目的地の位置までの推奨する移動ルートＲ１を推定する。推奨ルート設定部６６は、この推奨した移動ルートＲ１をコントロールパネル６４に表示させる。
【０１３０】
また、推奨ルート設定部６６は、推奨した移動ルートＲ１に沿って移動ルートＲ１から予め定めた距離の範囲に存在する負荷装置を建物データベース６６Ａを参照して割り出し、この負荷装置の情報を優先順位保持部６３に記憶させる。優先順位保持部６３は、推奨ルート設定部６６により通知された負荷装置の情報に基づいて、この負荷装置に優先順位を設定して保持する。そして、スイッチ制御部６２は、移動ルートＲ１に応じて設定された負荷装置の優先順位の情報に基づいて、太陽光発電装置４から負荷装置に電力を供給する給電範囲を設定する。
このように、第２実施形態の直流給電システム１Ｂでは、ユーザが、コントロールパネル６４上で出発地と目的地とを指定する操作を行うことにより、推奨する移動ルートＲ１をコントロールパネル６４に表示することができる。また、この移動ルートＲ１に沿って定めた範囲と、目的地にある負荷装置に優先的に電力を供給することができる。
【０１３１】
［第３実施形態］
上述のように、第１実施形態の直流給電システム１及び１Ａと、第２実施形態の直流給電システム１Ｂとでは、太陽光発電装置４から給電経路に電力を供給する際に、電力の供給を必要とする負荷装置に対して優先的に電力を供給できるととともに、負荷装置への給電状況をユーザに提示できる。
一方で、災害発生時などにおいて直流電源装置３が停電する場合は、給電経路に障害が発生している可能性がある。このため、災害発生時などの場合に、太陽光発電装置４から給電経路に電力を供給する際には、給電経路における障害の発生を検出した後に、給電を開始する必要がある。
【０１３２】
このため、本発明の第３実施形態として、給電経路における障害が発生を検出する直流給電システムの例について説明する。
図２３は、本発明の第３実施形態に係る直流給電システム１Ｃの構成を示す構成図である。
この図２３に示す直流給電システム１Ｃは、図２２に示す第２実施形態の直流給電システム１Ｂと比較して、電源供給装置６Ｂの構成だけが異なる。
また、図２４は、第３実施形態における電源供給装置６Ｂの構成例を示す構成図である。
この図２４に示す電源供給装置６Ｂは、図２２に示す第２実施形態の電源供給装置６Ａと比較して、障害発生検出部６７を新たに追加した点が異なり、他の構成は、図２２に示す電源供給装置６Ａと同様である。
【０１３３】
この障害発生検出部６７は、スイッチ制御部６２からスイッチ部１００に対して、給電経路Ｐ１１及びＮ１１を介してスイッチ制御信号ＣＮＴを送信する際に、給電経路Ｐ１１及びＮ１１に出力されるスイッチ制御信号ＣＮＴの電圧の変化を検出する。そして、障害発生検出部６７は、スイッチ制御信号ＣＮＴの電圧が予め設定した電圧値以下に低下する場合に、スイッチ部１００のスイッチを投入することより新たに接続される給電経路に障害が発生していると判定する。例えば、新たに接続される給電経路に短絡故障が発生している場合は、スイッチ制御信号ＣＮＴの電圧が０Ｖ近くになるので、これを検出して、給電経路に障害が発生していると判定する。
そして、スイッチ制御部６２は、障害発生検出部６７により給電経路における障害の発生が検出された場合、一旦投入したスイッチ部１００を、再び開放状態に戻すことにより、障害が発生している給電経路を給電範囲から除外する。
【０１３４】
これにより、スイッチ制御部６２は、障害発生検出部６７から通知を受けて、スイッチ部１００により接続される給電経路に障害が発生していることを検出して、この障害が発生している給電経路を給電範囲から除外することができる。また、スイッチ制御部６２は、障害が発生している給電経路を、コントロールパネル６４上に表示させる。
例えば、コントロールパネル６４は、障害が発生した給電経路を、給電経路の単線結線図の表示画面（例えば、図９に示す単線結線図の表示画面６４１を参照）上に表示する。例えば、コントロールパネル６４は、障害の発生した給電経路を黄色の点滅表示で表示する。
そして、例えば、図１８に示す「出発地と目的地の設定画面」において出発地と目的地とが設定され、推奨ルート設定部６６が推奨する移動ルートを設定する場合に、障害が発生した給電経路を除外するようにして、移動ルートを設定する。この推奨ルート設定部６６が、障害が発生した給電経路を除外して移動ルート設定する例については、後述する。
【０１３５】
（障害発生検出部をスイッチ部１００側に設ける例）
ところで、上述のように、スイッチ制御信号ＣＮＴをスイッチ部１００に送信して当該スイッチ部１００を閉状態にする場合、このスイッチ部１００により新たに接続される給電経路に線間短絡故障等の障害が発生していると、給電経路全体の線間インピーダンスが著しく低下することになる。このように、給電経路の線間インピーダンスが低下する場合には、スイッチ制御部６２からスイッチ部１００にスイッチ制御信号ＣＮＴを送信できなくなるとともに、スイッチ部１００からスイッチ制御部６２に開閉結果の信号の通知ができなくなる。
【０１３６】
この問題を回避する第１の方法として、障害発生検出部をスイッチ部１００側に設けるようにする。図２５は、障害発生検出部をスイッチ部に設ける例を示す構成図であり、スイッチ部１００Ａに障害発生検出部７６を設けた例である。
この図２５において、電源供給装置６Ａは、図２２に示す電源供給装置６と同じ構成の電源供給装置である。また、図２５に示すスイッチ部１００Ａは、図２４に示すスイッチ部１００と構成と比較して、新たに障害発生検出部７６を追加した点が異なり、他の構成は、図２４に示すスイッチ部１００と同様である。このため、同一の構成部分には同一の符号を付している。
【０１３７】
このスイッチ部１００Ａにおいて、スイッチ７４の状態は、このスイッチ７４を構成する半導体スイッチ素子のオン／オフ状態を制御することにより、インピーダンスを有した閉状態と、通常の閉状態と、開状態との３つの状態を選択できるようにする。
例えば、スイッチ部１００Ａとして限流機能付の半導体遮断器を使用し、スイッチ部１００Ａにおいてスイッチ７４を投入する際に、最初は、スイッチ７４を、インピーダンスを有した閉状態にし、障害が発生した給電経路に流れる電流を制限する。
その後、障害発生検出部７６が、スイッチ制御信号ＣＮＴの電圧の変化を検出し、スイッチ制御信号ＣＮＴの電圧が所定の値まで低下しない場合、新たに接続される給電経路に障害が発生していないと判定する。
【０１３８】
一方、スイッチ７４をインピーダンスを有した閉状態にし、スイッチ制御信号ＣＮＴの電圧が所定の値以下に低下した場合、障害発生検出部７６は、新たに接続される給電経路に障害が発生していると判定する。障害発生検出部７６は、給電経路を介して上記の判定結果をスイッチ制御部６２に通知する。そして、スイッチ部１００Ａは、次のスイッチ制御信号ＣＮＴに応じて、通常の閉状態と、閉状態との何れかの状態に制御される。
なお、スイッチ７４をインピーダンスを有した閉状態にして、障害発生検出部７６により障害の発生が検出されなかった場合、スイッチ７４をそのまま通常の閉状態にするようにしてもよい。
これにより、スイッチ制御部６２は、障害発生検出部７６から通知を受けて、スイッチ部１００Ａにより接続される給電経路に障害が発生していることを検出して、この障害が発生している給電経路を給電範囲から除外することができる。
【０１３９】
また、別の方法として、スイッチ部１００Ａが過電流トリップ機能を備えるようにしてもよい。つまり、スイッチ７４を投入して新たな給電経路が接続された場合に、スイッチ７４に予め設定された電流値以上の電流が流れると、スイッチ７４を自動で開放して障害が発生した給電経路を切り離す。そして、スイッチ７４が過電流トリップした場合、障害発生検出部７６は、その結果をスイッチ制御部６２に通知する。障害発生検出部７６から過電流トリップしたことの通知を受けたスイッチ制御部６２は、スイッチ部１００Ａにより接続される給電経路に障害が発生していることを認識し、その情報をコントロールパネル６４に表示する。
これにより、スイッチ部１００Ａは、障害が発生している給電経路を給電範囲から自動で切り離すことができる。
なお、給電経路の地絡故障を検出する場合についても、正極側の給電経路（又は、負極側の給電線）と接地線（アース線）との間にスイッチ制御信号ＣＮＴを印加する点を除いて、上記と第１及び第２に方法と同様の方法により、障害が発生した給電経路を検出して、給電範囲から除外することができる。
【０１４０】
（推奨ルート設定部６６による移動ルートの設定動作）
障害発生検出部６７により障害が発生した給電経路が検出された場合、推奨ルート設定部６６は、この障害が発生した給電経路を除外するようにして移動ルートを設定する。
最初に、給電経路に障害が発生していない場合の移動ルートの設定例について説明し、次に、給電経路に障害が発生している場合の移動ルートの設定例について説明する。
図２６は、給電経路に障害が発生していない場合の移動ルートの設定例を示す説明図である。この図２６は、コントロールパネル６４に表示される表示画面２００Ｂの例を示している。この図２６に示す建物のレイアウトは、先に説明した図２１に示す表示画面２００Ａにおける建物のレイアウトを一部変更した例である。
【０１４１】
すなわち、図２６に示す表示画面２００Ｂにおけるレイアウトは、図２１に示す表示画面２００Ａに示すレイアウトと比較して、図の右側に、新たに、階段６７７と、給電経路２０１Ｄと、給電経路２２０Ｄと、給電経路２１０Ｄと、給電経路２１１Ｄと、照明装置７１１から７１５と、を追加した点が異なる。他の部分は、図２１に示すレイアウトと同様である。このため、同一の部分には同一の符号を付し、重複する説明は省略する。
【０１４２】
図２６に示す表示画面２００Ｂにおいて、給電経路２０１Ａから、給電経路２２０Ａが分岐される他、給電経路２０１Ｄが分岐される。また、２Ｆにおいて、給電経路２０１Ｄから給電経路２２０Ｄが分岐され、この給電経路２２０Ｄは、２Ｆ通路６７３に設備された照明装置（ＬＴ）７１１及び７１２に接続されるとともに、１Ｆと２Ｆ間の階段６７４に設備された照明装置（ＬＴ）７１３に接続される。
また、１Ｆにおいて、給電経路２０１Ｄから、給電経路２１０Ｄと給電経路２１１Ｄとがそれぞれ分岐され、給電経路２１０Ｄは、ロビー６７６の照明装置（ＬＴ）７１４に接続され、給電経路２１１Ｄは、ロビー６７６の照明装置（ＬＴ）７１５に接続される。
【０１４３】
（給電経路に障害が発生していない場合の移動ルートと給電範囲の設定例）
そして、今ここで、図１８に示す「出発地と目的地の設定画面」で、出発地として「２Ｆ  エリアＡ２１」が指定され、目的地として「１Ｆ  ロビー」が設定されたものとする。
これにより、推奨ルート設定部６６は、安全に移動できるように最寄りの階段６７４を通る移動ルートを選択し、「２Ｆ  エリアＡ２１」から階段６７４を経て「１Ｆ  ロビー」に向かう移動ルートＲ１を設定する。
そして、表示画面２００Ｂには、各エリア及び階段ごとに対応する誘導表示部２９２から２９６が表示される。この誘導表示部２９２から２９６は、「２Ｆ  エリアＡ２１」から「１Ｆのロビー」に向かう移動ルートＲ１の方向を示すように表示される。
【０１４４】
そして、推奨ルート設定部６６は、この移動ルートＲ１に沿った範囲と、目的地にある負荷装置として、照明装置７０２から７０６と、１Ｆロビー６７６の空調装置７０７とを選択し、この選択した負荷装置の情報を優先順位保持部６３に通知する。
優先順位保持部６３は、推奨ルート設定部６６から通知された負荷装置について、それぞれの優先順位を設定して、優先順位テーブルに保持する。
図２７は、移動ルートＲ１に応じた優先順位テーブルの例を示す説明図である。この優先順位テーブル６３６に示すように、優先順位保持部６３は、移動ルートＲ１に沿った範囲と目的地にある照明装置７０２から７０５に対して順番に優先順位を設定し、最後に、目的地である１Ｆロビー６７６の空調装置７０７に対して優先順位を設定する。
【０１４５】
この結果、優先順位テーブル６３５は、照明装置７０２を優先順位の中で最も優先順位が高い第１位の優先順位の負荷装置、照明装置７０３を次に優先順位が高い第２位の優先順位の負荷装置、照明装置７０３を第３位の負荷装置、照明装置７０４を第４位の負荷装置、照明装置７０５を第５位の負荷装置、１Ｆロビーの空調装置７０７を第６位の負荷装置として設定する。
そして、スイッチ制御部６２は、太陽光発電装置４から第１位の優先順位の照明装置７０２に電力供給している状態において、太陽光発電装置４の電力供給能力に照明装置７０３に電力を供給するだけの余力がある場合は、次の第２位の照明装置７０３を選択して電力を供給する。さらに太陽光発電装置４の電力供給能力に照明装置７０４に電力を供給するだけの余力がある場合は、第３位の照明装置７０４を選択して電力を供給する。以下、同様である。
【０１４６】
そして、太陽光発電装置４の発電量の制限により、照明装置７０２から７０６に電力を供給でき、空調装置７０７に電力を供給できなかったとする。このような状態において、コントロールパネル６４は、表示画面２００Ｂにおいて、電力が供給される照明装置７０２から７０６を、例えば、「橙色」で表示する。また、照明装置７０２から７０６と給電経路２０１Ａとを結ぶ給電ルートと、給電経路２０１Ａとを、例えば、「青色」で表示する。つまり、図で示す給電経路において、ハッチして示された部分を、給電範囲として表示する。なお、給電経路において、給電されていない部分は、例えば、「灰色」で表示する。
【０１４７】
（給電経路に障害が発生している場合の移動ルートと給電範囲の設定例）
次に、給電経路に障害が発生している場合の移動ルートと給電範囲の設定例について説明する。
図２８は、給電経路に障害が発生している場合の移動ルートの設定例を示す説明図である。
なお、以下の説明では、給電経路に障害が発生していることを、障害発生検出部６７（図２４）により検出する例について説明するが、給電経路に障害が発生していることを、障害発生検出部７６（図２５）が検出する場合にも適用できるものである。
そして、今ここで、図１８に示す「出発地と目的地の設定画面」で、出発地として「２Ｆ  エリアＡ２１」が指定され、目的地として「１Ｆ  ロビー」が設定されたものとする。また、給電経路２２０Ｃにおいて障害が発生し、２Ｆ通路６７３及び階段６７４の照明装置７０１から７０３に電力を供給できないものとする。この給電経路２２０Ｃにおいて障害が発生したことは、障害発生検出部６７により検出され、障害発生検出部６７は、給電経路２２０Ｃにおける障害発生の検出情報を推奨ルート設定部６６に通知する。
【０１４８】
推奨ルート設定部６６は、障害発生検出部６７から、給電経路２２０Ｃにおける障害発生の検出情報の通知を受けることにより、「２Ｆ  エリアＡ２１」から最寄りの階段６７４を通る移動ルートを設定することを中止し、反対側の階段６７７を通る移動ルートを選択し、移動ルートとて、「２Ｆ  エリアＡ２１」から階段６７７を経て「１Ｆ  ロビー」に向かう移動ルートＲ２を設定する。
そして、この表示画面２００Ｃには、各エリア及び階段ごとに対応する誘導表示部２９２と、誘導表示部２９１と、誘導表示部２９７から２９９とが表示される。これらの誘導表は、「２Ｆ  エリアＡ２１」から階段６７７を経て「１Ｆのロビー」に向かう移動ルートＲ２の方向を示すように表示される。
【０１４９】
そして、推奨ルート設定部６６は、この移動ルートＲ２に沿った範囲と、目的地にある負荷装置として、照明装置７１１から７１５と、１Ｆロビー６７６の空調装置７０７とを選択し、この負荷装置の情報を優先順位保持部６３に通知する。
優先順位保持部６３は、推奨ルート設定部６６から通知された負荷装置について、それぞれの優先順位を設定して、優先順位テーブルに保持する。
図２９は、移動ルートＲ２に応じた優先順位テーブルの例を示す説明図である。この優先順位テーブル６３６に示すように、優先順位保持部６３は、移動ルートＲ２に沿った範囲と目的地にある照明装置７１１から７１５に対して順番に優先順位を設定し、最後に、目的地である１Ｆロビー６７６の空調装置７０７に対して優先順位を設定する。
【０１５０】
この結果、優先順位テーブル６３６は、照明装置７１１を優先順位の中で最も優先順位が高い第１位の優先順位の負荷装置、照明装置７１２を次に優先順位が高い第２位の優先順位の負荷装置、照明装置７１３を第３位の負荷装置、照明装置７１４を第４位の負荷装置、照明装置７１５を第５位の負荷装置、空調装置７０７を第６位の負荷装置として設定する。
そして、スイッチ制御部６２は、太陽光発電装置４から第１位の優先順位の照明装置７１１に電力供給している状態において、太陽光発電装置４の電力供給能力に照明装置７１２に電力を供給するだけの余力がある場合は、次の第２位の照明装置７１２を選択して電力を供給する。さらに太陽光発電装置４の電力供給能力に照明装置７１３に電力を供給するだけの余力がある場合は、第３位の照明装置７１３を選択して電力を供給する。以下、同様である。
【０１５１】
そして、太陽光発電装置４の発電量の制限により、照明装置７１１から７１５に電力を供給でき、空調装置７０７に電力を供給できなかったとする。このような給電状態において、コントロールパネル６４は、表示画面２００Ｃにおいて、電力が供給される照明装置７１１から７１５を、例えば、「橙色」で表示する。また、照明装置７１１から７１５に電力を供給する給電経路２２０Ｄと、給電経路２０１Ｄと、給電経路２０１Ａにおける給電範囲とを、例えば、「青色」で表示する。つまり、図で示す給電経路において、ハッチして示された部分を、給電範囲として表示する。なお、給電経路において、給電されていない部分は、例えば、「灰色」で表示する。
なお、図２８で示した移動ルートの設定例では、給電経路において障害が発生したことを検出し、この障害が発生した給電経路の範囲を回避するようにして、移動ルートＲ２を設定する例を示したが、これに限定されず、移動ルートと負荷装置の優先順位の設定は、太陽光発電装置４の発電量に応じて設定することも可能である。
【０１５２】
このように、第３実施形態の直流給電システム１Ｃでは、給電経路に電力を供給することが可能であるか否かを示す障害発生の検出情報と、太陽光発電装置が供給できる電力量と、負荷装置の優先順位の情報とに基づいて、負荷装置に電力を供給する給電範囲を設定して電力の供給を開始させることができる。また、設定した給電経路における給電範囲をコントロールパネル６４に表示させることができる。
【０１５３】
［第４実施形態］
上記第１実施形態、第２実施形態、及び第３実施形態では、給電経路に接続される負荷装置に直流電力を供給する直流給電システムの例について説明したが、負荷装置に交流（例えば、ＡＣ４００Ｖ）を供給する交流給電システムであってもよい。
図３０は、本発明の第４実施形態に係る交流給電システム１Ｄの概略構成を示す構成図である。図３０に示す交流給電システム１Ｄは、図１に示す直流給電システム１と比較すると、図１に示す直流電源装置３を省略し、ＰＣＳ（パワーコンディショナ）５を交流電圧を出力するＰＣＳ５Ａに代え、ＰＣＳ８を交流電圧を出力するＰＣＳ８Ａに代えた点が、構成上で異なる。
また、図１に示す直流電圧の給電経路Ｐ１１及びＮ１１を３相交流電圧の給電経路ＡＣＬ１１に代え、給電経路Ｐ２１及びＮ２１からＰ２８及びＮ２８を、３相又は単相の給電経路ＡＣＬ２１からＡＣＬ２８に代えた点が異なる。また、図３０において、スイッチ部１０１から１１６は、交流電流を導通及び遮断する機能を備える半導体スイッチであり、負荷装置Ｌ１１からＬ１６は、３相又は単相の交流電圧を入力とする負荷装置である。
【０１５４】
上記構成の交流給電システム１Ｄにおいて、商用電力系統ＰＳから供給される高圧交流電圧（例えば、３相ＡＣ６６００Ｖ）を変圧器２Ｃにより所定の低圧交流電圧（例えば、３相ＡＣ４００Ｖ）に降圧し、この低圧交流電圧を、主幹の電力供給線である給電経路ＡＣＬ１１へ出力する。
【０１５５】
給電経路ＡＣＬ１１には、パワーコンディショナ（ＰＣＳ）５Ａ及びスイッチ部１０１を介して太陽光発電装置４が接続されている。また、給電経路ＡＣＬ１１には、ＰＣＳ８Ａ及びスイッチ部１０２を介して、蓄電池を備える蓄電装置（ＢＡＴＴ）７が接続されている。太陽光発電装置４のＰＣＳ５Ａ及び蓄電装置７のＰＣＳ８Ａは、ＤＣ／ＡＣコンバータ（インバータ）や交流を所定の電圧に昇圧（または降圧）するＰＣＳ用変圧器などの電力変換装置を備える。
なお、交流給電システム１Ｄにおける制御動作は、直流給電システム１における直流電電圧を交流電圧に置き換えた点だけが異なり、電源供給装置６やＰＣＳ５Ａやスイッチ部１００等の基本的な動作は、図１に示す直流給電システム１における動作と同様である。
【０１５６】
つまり、商用電力系統ＰＳの停電時において、電源供給装置６は、ＰＣＳ５Ａに基準となる交流の動作電圧を供給して、このＰＣＳ５Ａを自立起動させる。また、電源供給装置６は、スイッチ部１１１から１１６の開閉状態を設定して、給電経路ＡＣＬ２１からＡＣＬ２８における給電範囲を設定する。
なお、詳細な構成と制御動作については、直流給電システム１の場合と同様であるため、重複する説明は省略する。
これにより、交流給電システム１Ｄにおいて、太陽光発電装置から給電経路に電力を供給する際に、必要度の高い負荷装置から順に電力を供給することができる。
【０１５７】
以上、本発明の第１実施形態の直流給電システム１及び１Ａと、第２実施形態の直流給電システム１Ｂと、第３実施形態の直流給電システム１Ｃと、第４実施形態の交流給電システム１Ｄと、について説明したが、ここで説明した直流給電システム１及び１Ａ、直流給電システム１Ｂ、直流給電システム１Ｃ、及び交流給電システム１Ｄは、蓄電装置７をバックアップ電源装置として設備している。しかしながら、蓄電装置７を設備しない場合においても、本発明は好適に適用できるものである。この蓄電装置７を設けない場合、例えば、直流給電システム１においては、直流電源装置３が停電状態になり、給電経路Ｐ１１及びＮ１１に電力が供給されなくなると、電源供給装置６は、ＰＣＳ５を直ちに起動させるか、又は、ユーザの指示により起動させることになる。交流給電システム１Ｄにおいても同様である。
【０１５８】
なお、上記実施形態において、電源供給装置６、電源供給装置６Ａ、及び電源供給装置６Ｂ内の各処理部の機能は専用のハードウェアにより実現されるものであってもよく、また、各処理部の機能を実現するためのプログラムをコンピュータ読み取り可能な記録媒体に記録して、この記録媒体に記録されたプログラムをコンピュータシステムに読み込ませ、実行することによりその機能を実現させるものであってもよい。
【０１５９】
すなわち、電源供給装置６、電源供給装置６Ａ、及び電源供給装置６Ｂは、内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳや周辺機器等のハードウェアを含むものとする。
【０１６０】
なお、ここで、本発明と上述した実施形態との対応関係について補足して説明する。本発明における給電システムは、直流給電システム１、直流給電システム１Ａ、直流給電システム１Ｂ、直流給電システム１Ｃ、又は交流給電システム１Ｄが対応する。また、本発明における電源装置は、例えば、直流給電システム１等では、直流電源装置３が対応し、交流給電システム１Ｄでは、受電設備２が対応する。また、本発明における給電制御装置は、電源供給装置６、電源供給装置６Ａ、又は電源供給装置６Ｂが対応する。また、本発明におけるスイッチ部は、スイッチ部１００又はスイッチ部１００Ａが対応し、本発明におけるパワーコンディショナは、パワーコンディショナ（ＰＣＳ）５又はパワーコンディショナ（ＰＣＳ）５Ａが対応する。また、本発明におけるパワーコンディショナ起動部は、ＰＣＳ起動部６１が対応し、本発明におけるスイッチ制御部は、スイッチ制御部６２が対応する。また、本発明における優先順位保持部は、優先順位保持部６３が対応し、本発明における推奨ルート設定部は、推奨ルート設定部６６が対応する。また、本発明における障害発生検出部は、障害発生検出部６７が対応し、本発明における情報提示部及び設定入力部は、コントロールパネル６４が対応する。
【０１６１】
（１）そして上記実施形態において、直流給電システム１（給電システム）は、電圧（例えば、ＤＣ３８０Ｖ）を出力する直流電源装置３（電源装置）の給電経路に接続された複数の負荷装置（例えば、負荷装置Ｌ１１からＬ１６）に直流電源装置３から給電経路を介して電力を供給するとともに、太陽光発電装置４がＰＣＳ５（パワーコンディショナ）を介して給電経路に接続され、該太陽光発電装置４から給電経路に電力を供給する直流給電システム１であって、給電経路において、太陽光発電装置４からの電力を供給する給電範囲と電力を供給しない非給電範囲とを分割する箇所に配置されるスイッチ部１００と、太陽光発電装置４から負荷装置に電力を供給する優先順位を示す優先順位の情報を保持する優先順位保持部６３と、スイッチ部の開閉状態を制御して、給電経路における給電範囲を設定するスイッチ制御部６２と、給電経路における給電状況に関連する情報を提示するコントロールパネル６４（情報提示部）と、を備え、スイッチ制御部６２は、給電経路に給電することが可能であるか否かを示す当該給電経路の状態を示す情報と、太陽光発電装置４が供給できる電力量と、優先順位の情報とのうちの何れかの情報に基づいて、負荷装置に電力を供給する給電範囲を設定して、給電範囲に電力の供給を開始させるとともに、前記設定した給電経路における給電状況をコントロールパネル６４に提示させる。
【０１６２】
このように、本実施形態の直流給電システム１（給電システム）では、太陽光発電装置４から負荷装置（例えば、負荷装置Ｌ１１からＬ１６）に電力を供給する際に、太陽光発電装置４から電力を供給する給電範囲と電力を供給しない非給電範囲とを分割する箇所にスイッチ部１００を配置する。そして、スイッチ制御部６２は、太陽光発電装置４から電力を供給する給電範囲を設定する際に、給電経路における状態を示す情報（例えば、障害発生の検出情報）と、太陽光発電装置４が供給できる電力量と、優先順位保持部６３に保持された負荷装置についての優先順位の情報と、に基づいて、負荷装置に電力を供給する給電範囲を設定する。また、スイッチ制御部６２は、給電経路における給電状況をコントロールパネル６４（情報提示部）に提示させる。
これにより、直流給電システム１（給電システム）では、太陽光発電装置４から負荷装置に電力を供給する際に、電力の供給を必要とする負荷装置に対して優先的に電力を供給できるととともに、負荷装置への給電状況をユーザに提示できる。
【０１６３】
（２）また、上記実施形態において、例えば、図１５の直流給電システム１Ａに示すように、優先順位は、直流電源装置３（電源装置）から給電経路に電力の供給ができない停電時における人の移動ルートに応じて設定され、コントロールパネル６４（情報提示部）は、人の移動ルートに応じて設定された給電範囲を提示する。
このように、直流給電システム１Ａ（給電システム）では、負荷装置の優先順位を、直流電源装置３（電源装置）の停電時において人が移動する際の移動ルートである動線ＤＬを考慮し、この人の動線に基づいて、負荷装置の優先順位を定める。例えば、直流電源装置３の停電時における人の動線を予め設定しておき、この動線に沿って定めた範囲と、目的地に存在する負荷装置に高い優先順位を与えるようにする。また、スイッチ制御部６２は、人の動線に基づいて設定した給電範囲をコントロールパネル６４（情報提示部）に表示してユーザに提示する。
これにより、直流電源装置３（電源装置）の停電時において、人が安全に、かつ不便が生じることなく移動できるように、人の動線の範囲内にある照明等の負荷装置を優先して、太陽光発電装置４から電力を供給することができる。また、人の動線や、給電経路における給電範囲をコントロールパネル６４（情報提示部）に表示することにより、ユーザは、負荷装置に電力が供給されている給電範囲を確認することができる。
【０１６４】
（３）また、上記実施形態において、例えば、図２２に示す直流給電システム１Ｂ（給電システム）が設備される建物内には、人が出発地から目的地まで移動する際の当該出発地と目的地を指定する設定入力を検出し、この検出した出発地と目的地を示す情報を出力するとともに、出発地と目的地との間の移動ルートを表示するコントロールパネル６４（設定入力部）と、コントロールパネル６４において出発地と目的地の指定が検出された場合に、出発地から目的地までの推奨される移動ルートＲ１を設定するとともに、該移動ルートＲ１をコントロールパネル６４に表示させる推奨ルート設定部６６と、を備え、優先順位保持部６３は、推奨ルート設定部６６により推奨された移動ルートＲ１に応じて、負荷装置の優先順位を設定して保持し、スイッチ制御部６２は、移動ルートに応じて設定された負荷装置の優先順位に基づいて、太陽光発電装置４から負荷装置に電力を供給する給電範囲を設定する。
【０１６５】
このように、直流給電システム１Ｂ（給電システム）が設備される建物内において、ユーザが、コントロールパネル６４（設定入力部）により出発地と目的地を指定することにより、推奨ルート設定部６６は、建物データベース６６Ａを参照して、出発地から目的地までの推奨する移動ルートＲ１を推定し、この移動ルートＲ１をコントロールパネル６４に表示させる。
また、推奨ルート設定部６６は、推奨した移動ルートＲ１に沿って定めた範囲と、目的地に存在する負荷装置の情報を建物データベース６６Ａから取り出し、この負荷装置の情報を優先順位保持部６３に通知する。優先順位保持部６３では、推奨ルート設定部６６により通知された負荷装置の情報に基づいて、この負荷装置に優先順位を設定して保持する。そして、スイッチ制御部６２は、移動ルートＲ１に応じて設定された負荷装置の優先順位の情報に基づいて、太陽光発電装置４から負荷装置に電力を供給する給電範囲を設定する。
これにより、ユーザが、コントロールパネル６４（設定入力部）上で出発地と目的地とを指定することにより、推奨ルート設定部６６が、推奨する移動ルートＲ１を推定し、この推奨する移動ルートＲ１をコントロールパネル６４に表示させることができる。また、スイッチ制御部６２は、この移動ルートＲ１に沿って定めた範囲と、目的地にある負荷装置に優先的に電力を供給するように給電範囲を設定することができる。
【０１６６】
（４）また、上記実施形態において、コントロールパネル６４（情報提示部）は、スイッチ制御部６２により、給電経路における給電範囲が設定された際に、給電範囲を提示するとともに、給電範囲に人を誘導するための情報を提示する。
このように、スイッチ制御部６２により給電範囲が設定された場合に、コントロールパネル６４（情報提示部）は、給電経路において電力が供給されている給電範囲と、電力が供給されていない非給電範囲とを、例えば、色分けして表示する。また、コントロールパネル６４は、非給電範囲内のエリアから給電範囲内のエリアに向かう移動ルートに沿って、ユーザを誘導する誘導表示を行う。例えば、図２１に示す誘導表示部２９１から２９６による誘導表示を行う。
これにより、ユーザは、容易に移動ルートを把握して、電力が供給されているエリアに移動することができる。
【０１６７】
（５）また、上記実施形態において、例えば、図２３に示す直流給電システム１Ｃの電源供給装置６Ｂは、給電経路において給電経路に障害が発生している給電経路の範囲を検出する障害発生検出部６７を備え、スイッチ制御部６２は、太陽光発電装置４から電力を供給する給電範囲を設定する際に、障害が発生した給電経路を除外して給電範囲を設定するとともに、コントロールパネル６４（情報提示部）は、給電経路において電力を供給する給電範囲と、障害が発生した給電経路である非給電範囲とを識別して表示する。
このように、直流給電システム１Ｃ（給電システム）では、太陽光発電装置４から電力を供給する給電範囲を設定する際に、障害発生検出部６７により、障害が発生している給電経路を検出する。そして、スイッチ制御部６２は、障害が発生している給電経路を除外するようにして給電範囲を設定する。また、コントロールパネル６４（情報提示部）は、給電経路において電力を供給する給電範囲と、障害が発生した給電経路である非給電範囲とを識別して表示する。
これにより、直流給電システム１Ｃ（給電システム）は、太陽光発電装置４から電力を供給する給電範囲を設定する際に、障害が発生している給電経路を除外して、給電範囲を設定することができる。また、ユーザは、障害が発生している給電経路を確認することができる。
【０１６８】
（６）また、上記実施形態において、優先順位は、負荷装置の種別と、当該負荷装置が設備される位置と、の何れか又は両方に応じて設定される。
これにより、直流給電システム１（給電システム）では、直流電源装置３（電源装置）の停電時において、太陽光発電装置４から給電経路に電力を供給する場合に、負荷装置の種別と、この負荷装置が設備される位置と、に応じて電力を供給する負荷装置を選択することができる。例えば、負荷装置の種別として照明装置を優先して選択し、また、負荷装置の位置として、人の移動ルートの範囲にある負荷装置を優先して選択することができる。
【０１６９】
（７）また、上記実施形態において、優先順位は、時間帯、曜日、天候、又は季節の何れか又は全部に応じて設定される。
これにより、直流給電システム１（給電システム）では、太陽光発電装置４の発電量が時間帯、天候、及び季節に応じて変化する場合に、この発電量の変化に応じて、太陽光発電装置４から電力を供給する負荷装置の優先順位を設定することができる。また、例えば、社員が出勤する平日であるか、又は休業日であるかに応じて、負荷装置の優先順位を設定することができる。
【０１７０】
（８）また、上記実施形態において、例えば、図２３に示す直流給電システム１Ｃ（給電システム）は、スイッチ制御部６２と、優先順位保持部６３と、障害発生検出部６７と、を含む電源供給装置６Ｂを備え、電源供給装置６Ｂは、出力を停止した停止状態のＰＣＳ５（パワーコンディショナ）に当該ＰＣＳ５から電力を出力させることを可能にする動作電圧を供給する。
このように、直流給電システム１Ｃ（給電システム）は、電源供給装置６Ｂを備え、この電源供給装置６Ｂは、スイッチ制御部６２と、優先順位保持部６３と、障害発生検出部６７と、を備える。そして、スイッチ制御部６２が、優先順位保持部６３に保持された負荷装置の優先順位の情報に基づいて給電範囲を設定する際に、障害発生検出部６７により障害が発生している給電経路を検出し、この障害が発生している給電範囲を除外して給電範囲を設定する。また、スイッチ制御部６２は、障害が発生している給電経路を、コントロールパネル６４（情報提示部）に表示させる。
これにより、スイッチ制御部６２は、障害発生検出部６７から通知を受けて、スイッチ部１００により接続される給電経路に障害が発生していることを検出して、この障害が発生している給電経路を給電範囲から除外することができる。
【０１７１】
さらに、電源供給装置６Ｂは、直流電源装置３（電源装置）の停電時において、一旦停止した太陽光発電装置４のＰＣＳ５（パワーコンディショナ）を起動するための動作電圧を該ＰＣＳ５に供給できない場合に、ＰＣＳ５に動作電圧を供給して、このＰＣＳ５を自立起動させる。
これにより、直流給電システム１Ｃ（給電システム）では、連系する電源系統から太陽光発電装置のＰＣＳ５（パワーコンディショナ）に動作可能とする動作電圧が供給されていない停電状態において、このＰＣＳ５を自立起動させることができる。
【０１７２】
以上、本発明の実施の形態について説明したが、本発明の給電システムは、上述の図示例にのみに限定されるものではなく、本発明の要旨を逸脱しない範囲内において種々変更を加え得ることは勿論である。
【０１７３】
例えば、図１に示す直流給電システム１、図１３に示す直流給電システム１Ａ、図２２に示す直流給電システム１Ｂ、図２３に示す直流給電システム１Ｃ、及び図３０に示す交流給電システム１Ｄでは、バッアップ用の電源装置として、太陽光発電装置４と蓄電装置７とが設備された例を示したが、バッアップ用の電源として、さらに燃料電池やエンジン発電機等が設備される場合においても、本発明は好適に適用できるものである。
また、図９に示したコントロールパネル６４を用いてスイッチ部１００の開閉を行う例は、一例を示したものであって、給電経路上のスイッチ部１００を指定して開閉を行う他の制御方法を用いて行ってもよい。
【符号の説明】
【０１７４】
１，１Ａ，１Ｂ，１Ｃ・・・直流給電システム（給電システム）、
１Ｄ・・・交流給電システム（給電システム）、２・・・受電設備、２Ａ・・・遮断器、
２Ｃ・・・変圧器、２Ｄ・・・保護継電器、３・・・直流電源装置（ＲＥＣ）、
４・・・太陽光発電装置（ＰＶ）、５，５Ａ・・・パワーコンディショナ（ＰＣＳ）、
６，６Ａ，６Ｂ・・・電源供給装置（給電制御装置）、
７・・・蓄電装置（ＢＡＴＴ）、
１１，１２・・・分電盤（ＰＤＦ）、５１・・・発電量制御部、
５２・・・系統連系制御部、５３・・・ＤＣ／ＤＣコンバータ、
６１・・・ＰＣＳ起動部、６１Ａ・・・母線電圧検出部、６２・・・スイッチ制御部、
６３・・・優先順位保持部、６３１〜６３６・・・優先順位テーブル、
６４・・・コントロールパネル（情報提示部、設定入力部）、
６５・・・蓄電池、６６・・・推奨ルート設定部、６６Ａ・・・建物データベース、
６７・・・障害発生検出部、７１・・・スイッチ制御信号受信部、
７２・・・スイッチ開閉部、７３・・・開閉結果通知部、７４・・・スイッチ、
７５・・・電源部、７６・・・障害発生検出部、
２６１〜２７２，２９１〜２９９・・・誘導表示部、
１００，１００Ａ，１０１〜１１６，１２１〜１２３・・・スイッチ部、
Ｌ１１〜Ｌ１６，Ｌ２１〜Ｌ２３・・・負荷装置、
ＡＣＬ１１，ＡＣＬ２１〜ＡＣＬ２８・・・給電経路、
Ｐ１１，Ｐ２１〜Ｐ２８，Ｎ１１，Ｎ２１〜Ｎ２８・・・給電経路
【図１】
2015165731.tif 000003
【図２】
2015165731.tif 000004
【図３】
2015165731.tif 000005
【図４】
2015165731.tif 000006
【図５】
2015165731.tif 000007
【図６】
2015165731.tif 000008
【図７】
2015165731.tif 000009
【図８】
2015165731.tif 000010
【図９】
2015165731.tif 000011
【図１０】
2015165731.tif 000012
【図１１】
2015165731.tif 000013
【図１２】
2015165731.tif 000014
【図１３】
2015165731.tif 000015
【図１４】
2015165731.tif 000016
【図１５】
2015165731.tif 000017
【図１６】
2015165731.tif 000018
【図１７】
2015165731.tif 000019
【図１８】
2015165731.tif 000020
【図１９】
2015165731.tif 000021
【図２０】
2015165731.tif 000022
【図２１】
2015165731.tif 000023
【図２２】
2015165731.tif 000024
【図２３】
2015165731.tif 000025
【図２４】
2015165731.tif 000026
【図２５】
2015165731.tif 000027
【図２６】
2015165731.tif 000028
【図２７】
2015165731.tif 000029
【図２８】
2015165731.tif 000030
【図２９】
2015165731.tif 000031
【図３０】
2015165731.tif 000032